(57)【要約】  本願実施例は、高層シグナリングを介してネットワーク機器によって構成されたタイムスロットに、ＳＲＳの伝送に使用できる時間領域リソースが含まれていない場合、または含まれている時間領域リソースが不十分である場合、端末機器によって、ＳＲＳを伝送するタイムスロットを決定できることにより、ＳＲＳを伝送するための適切なアップリンクリソースを見つけることができ、さらに、アップリンク伝送性能を保証できる、サウンディング参照信号の伝送方法、端末機器およびネットワーク機器を提供する。当該サウンディング参照信号の伝送方法は、端末機器が、ネットワーク機器によって送信されるＤＣＩを受信することであって、当該ＤＣＩは、ＳＲＳトリガシグナリングを含み、当該ＳＲＳトリガシグナリングは、少なくとも１つのＳＲＳリソースセットでのＳＲＳ伝送を指示するために使用されることと、当該端末機器が、当該ＤＣＩから始まるＫ個のタイムスロットを受信した後、第１プリセット条件を満たすタイムスロット内の、当該少なくとも１つのＳＲＳリソースセットに含まれるターゲットＳＲＳリソースでＳＲＳ信号を伝送することであって、Ｋは非負整数であることとを含む。
2021517382.tif 000002
【特許請求の範囲】
【請求項１】
サウンディング参照信号の伝送方法であって、
端末機器が、ネットワーク機器によって送信されるダウンリック制御情報（ＤＣＩ）を受信することであって、前記ＤＣＩは、サウンディング参照信号（ＳＲＳ）トリガシグナリングを含み、前記ＳＲＳトリガシグナリングは、少なくとも１つのＳＲＳリソースセットでのＳＲＳ伝送を指示するために使用されることと、
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することであって、Ｋは非負整数であることとを含むことを特徴とする、前記サウンディング参照信号の伝送方法。
【請求項２】
前記Ｋの値は、前記少なくとも１つのＳＲＳリソースセットに対して、高層シグナリングを介して前記ネットワーク機器よって構成されたものであり、または、前記Ｋの値は、前記少なくとも１つのＳＲＳリソースセット内の各ＳＲＳリソースセットに対して、高層シグナリングを介して前記ネットワーク機器よってそれぞれ構成されたものであり、または、前記Ｋの値は、前記少なくとも１つのＳＲＳリソースセットに含まれる各ＳＲＳリソースに対して、高層シグナリングを介して前記ネットワーク機器よってそれぞれ構成されたものであることを特徴とする、
請求項１に記載のサウンディング参照信号の伝送方法。
【請求項３】
前記Ｋの値が、前記少なくとも１つのＳＲＳリソースセットに対して、高層シグナリングを介して前記ネットワーク機器よって構成されたものである場合、
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
前記端末機器が、前記ＤＣＩから始まるＫ個のタイムスロットを受信した後、第１プリセット条件を満たすタイムスロット内の、前記少なくとも１つのＳＲＳリソースセットに含まれる全てのＳＲＳリソースでＳＲＳ信号を伝送することを含むことを特徴とする、
請求項２に記載のサウンディング参照信号の伝送方法。
【請求項４】
前記Ｋの値が、前記少なくとも１つのＳＲＳリソースセット内の各ＳＲＳリソースセットに対して、高層シグナリングを介して前記ネットワーク機器によって構成されたものである場合、
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
前記端末機器が、前記ＤＣＩから始まるＫ１個のタイムスロットを受信した後、第１プリセット条件を満たすタイムスロット内の、第１ＳＲＳリソースセット内のＳＲＳリソースでＳＲＳ信号を伝送することであって、前記第１ＳＲＳリソースセットは、前記少なくとも１つのＳＲＳリソースセットに属し、Ｋ１は、前記第１ＳＲＳリソースセットに対して前記ネットワーク機器によって構成された第１伝送遅延であることを含むことを特徴とする、
請求項２に記載のサウンディング参照信号の伝送方法。
【請求項５】
前記Ｋの値が、前記少なくとも１つのＳＲＳリソースセットに含まれる各ＳＲＳリソースに対して、高層シグナリングを介して前記ネットワーク機器よってそれぞれ構成されたものである場合、
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
前記端末機器が、前記ＤＣＩから始まるＫ２個のタイムスロットを受信した後、第１プリセット条件を満たすタイムスロット内の、第１ＳＲＳリソースでＳＲＳ信号を伝送することであって、前記第１ＳＲＳリソースは、前記少なくとも１つのＳＲＳリソースセットに属し、Ｋ２は、前記第１ＳＲＳリソースに対して前記ネットワーク機器によって構成された第２伝送遅延であることを含むことを特徴とする、
請求項２に記載のサウンディング参照信号の伝送方法。
【請求項６】
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
前記端末機器が、前記ＤＣＩから始まるＫ個のタイムスロットを受信した後、第１プリセット条件を満たす最初のタイムスロット内の、前記少なくとも１つのＳＲＳリソースセットに含まれるターゲットＳＲＳリソースでＳＲＳ信号を伝送することを含むことを特徴とする、
請求項１ないし５のいずれか一項に記載のサウンディング参照信号の伝送方法。
【請求項７】
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
前記端末機器が、前記ＤＣＩから始まるＫ個のタイムスロットを受信した後、第１プリセット条件を満たすタイムスロット内のアクティブ化された帯域幅部分（ＢＷＰ）で、前記少なくとも１つのＳＲＳリソースセットに含まれるターゲットＳＲＳリソースでＳＲＳ信号を伝送すること、または、
前記端末機器が、前記ＤＣＩから始まるＫ個のタイムスロットを受信した後、第１プリセット条件を満たすタイムスロット内の、前記少なくとも１つのＳＲＳリソースセットに関連付けられたＢＷＰで、前記少なくとも１つのＳＲＳリソースセットに含まれるターゲットＳＲＳリソースでＳＲＳ信号を伝送することを含むことを特徴とする、
請求項１ないし６のいずれか一項に記載のサウンディング参照信号の伝送方法。
【請求項８】
前記第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲット物理アップリンク制御チャネル（ＰＵＣＣＨ）フォーマットのＰＵＣＣＨの伝送のために使用されないこと、タイムスロット内の前記少なくとも１つのＳＲＳリソースセット内のいずれか１つのＳＲＳリソースに割り当てられた直交周波数分割多重（ＯＦＤＭ）シンボルが、全てアップリンクシンボルであること、タイムスロット内の前記ターゲットＳＲＳリソースに割り当てられたＯＦＤＭシンボルが、全てアップリンクシンボルであること、タイムスロット内の前記少なくとも１つのＳＲＳリソースセット内のいずれか１つのＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルのうちの少なくとも１つのシンボルが、ＰＵＣＣＨによって占有されないこと、タイムスロットで構成された物理アップリンク共有チャネル（ＰＵＳＣＨ）が、ＰＵＳＣＨマッピングタイプＡを使用すること、タイムスロット内の前記ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の前記ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットであることを含むことを特徴とする、
請求項１ないし７のいずれか一項に記載のサウンディング参照信号の伝送方法。
【請求項９】
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
第１プリセット条件を満たすタイムスロット内の、前記少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、前記端末機器が、割り当てられたＯＦＤＭシンボルのうちの、前記少なくとも１つのＯＦＤＭシンボルを除くＯＦＤＭシンボルでＳＲＳ信号を伝送することを含むことを特徴とする、
請求項１ないし８のいずれか一項に記載のサウンディング参照信号の伝送方法。
【請求項１０】
サウンディング参照信号の伝送方法であって、
ネットワーク機器が、ダウンリック制御情報（ＤＣＩ）を端末機器に送信することであって、前記ＤＣＩは、サウンディング参照信号（ＳＲＳ）トリガシグナリングを含み、前記ＳＲＳトリガシグナリングは、少なくとも１つのＳＲＳリソースセットでのＳＲＳ伝送を指示するために使用されることと、
前記ネットワーク機器が、前記ＤＣＩから始まるＫ個のタイムスロットを送信した後、第１プリセット条件を満たすタイムスロット内の、前記少なくとも１つのＳＲＳリソースセットに含まれるターゲットＳＲＳリソースでＳＲＳ信号を受信することであって、Ｋは非負整数であることとを含むことを特徴とする、前記サウンディング参照信号の伝送方法。
【請求項１１】
前記Ｋの値は、前記少なくとも１つのＳＲＳリソースセットに対して、高層シグナリングを介して前記ネットワーク機器よって構成されたものであり、または、前記Ｋの値は、前記少なくとも１つのＳＲＳリソースセット内の各ＳＲＳリソースセットに対して、高層シグナリングを介して前記ネットワーク機器よってそれぞれ構成されたものであり、または、前記Ｋの値は、前記少なくとも１つのＳＲＳリソースセットに含まれる各ＳＲＳリソースに対して、高層シグナリングを介して前記ネットワーク機器よってそれぞれ構成されたものであることを特徴とする、
請求項１０に記載のサウンディング参照信号の伝送方法。
【請求項１２】
前記Ｋの値が、前記少なくとも１つのＳＲＳリソースセットに対して、高層シグナリングを介して前記ネットワーク機器よって構成されたものである場合、
前記ネットワーク機器が、前記ＤＣＩから始まるＫ個のタイムスロットを送信した後、第１プリセット条件を満たすタイムスロット内の、前記少なくとも１つのＳＲＳリソースセットに含まれるターゲットＳＲＳリソースでＳＲＳ信号を受信することは、
前記ネットワーク機器が、前記ＤＣＩから始まるＫ個のタイムスロットを送信した後、第１プリセット条件を満たすタイムスロット内の、前記少なくとも１つのＳＲＳリソースセットに含まれる全てのＳＲＳリソースでＳＲＳ信号を受信することを含むことを特徴とする、
請求項１１に記載のサウンディング参照信号の伝送方法。
【請求項１３】
前記Ｋの値が、前記少なくとも１つのＳＲＳリソースセット内の各ＳＲＳリソースセットに対して、高層シグナリングを介して前記ネットワーク機器によって構成されたものである場合、
前記ネットワーク機器が、前記ＤＣＩから始まるＫ個のタイムスロットを送信した後、第１プリセット条件を満たすタイムスロット内の、前記少なくとも１つのＳＲＳリソースセットに含まれるターゲットＳＲＳリソースでＳＲＳ信号を受信することは、
前記ネットワーク機器が、前記ＤＣＩから始まるＫ１個のタイムスロットを送信した後、第１プリセット条件を満たすタイムスロット内の、第１ＳＲＳリソースセット内のＳＲＳリソースでＳＲＳ信号を受信することであって、前記第１ＳＲＳリソースセットは、前記少なくとも１つのＳＲＳリソースセットに属し、Ｋ１は、前記第１ＳＲＳリソースセットに対して前記ネットワーク機器によって構成された第１伝送遅延であることを含むことを特徴とする、
請求項１１に記載のサウンディング参照信号の伝送方法。
【請求項１４】
前記Ｋの値が、前記少なくとも１つのＳＲＳリソースセットに含まれる各ＳＲＳリソースに対して、高層シグナリングを介して前記ネットワーク機器よってそれぞれ構成されたものである場合、
前記ネットワーク機器が、前記ＤＣＩから始まるＫ個のタイムスロットを送信した後、第１プリセット条件を満たすタイムスロット内の、前記少なくとも１つのＳＲＳリソースセットに含まれるターゲットＳＲＳリソースでＳＲＳ信号を受信することは、
前記ネットワーク機器が、前記ＤＣＩから始まるＫ２個のタイムスロットを送信した後、第１プリセット条件を満たすタイムスロット内の、第１ＳＲＳリソースでＳＲＳ信号を受信することであって、前記第１ＳＲＳリソースは、前記少なくとも１つのＳＲＳリソースセットに属し、Ｋ２は、前記第１ＳＲＳリソースに対して前記ネットワーク機器によって構成された第２伝送遅延であることを特徴とする、
請求項１１に記載のサウンディング参照信号の伝送方法。
【請求項１５】
前記ネットワーク機器が、前記ＤＣＩから始まるＫ個のタイムスロットを送信した後、第１プリセット条件を満たすタイムスロット内の、前記少なくとも１つのＳＲＳリソースセットに含まれるターゲットＳＲＳリソースでＳＲＳ信号を受信することは、
前記ネットワーク機器が、前記ＤＣＩから始まるＫ個のタイムスロットを送信した後、第１プリセット条件を満たす最初のタイムスロット内の、前記少なくとも１つのＳＲＳリソースセットに含まれるターゲットＳＲＳリソースでＳＲＳ信号を受信することを含むことを特徴とする、
請求項１０ないし１４のいずれか一項に記載のサウンディング参照信号の伝送方法。
【請求項１６】
前記ネットワーク機器が、前記ＤＣＩから始まるＫ個のタイムスロットを送信した後、第１プリセット条件を満たすタイムスロット内の、前記少なくとも１つのＳＲＳリソースセットに含まれるターゲットＳＲＳリソースでＳＲＳ信号を受信することは、
前記ネットワーク機器が、前記ＤＣＩから始まるＫ個のタイムスロットを送信した後、第１プリセット条件を満たすタイムスロット内のアクティブ化された帯域幅部分（ＢＷＰ）で、前記少なくとも１つのＳＲＳリソースセットに含まれるターゲットＳＲＳリソースでＳＲＳ信号を受信すること、または、
前記ネットワーク機器が、前記ＤＣＩから始まるＫ個のタイムスロットを送信した後、第１プリセット条件を満たすタイムスロット内の前記少なくとも１つのＳＲＳリソースセットに関連付けられたＢＷＰで、前記少なくとも１つのＳＲＳリソースセットに含まれるターゲットＳＲＳリソースでＳＲＳ信号を受信することを含むことを特徴とする、
請求項１０ないし１５のいずれか一項に記載のサウンディング参照信号の伝送方法。
【請求項１７】
前記第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲット物理アップリンク制御チャネル（ＰＵＣＣＨ）フォーマットのＰＵＣＣＨの伝送のために使用されないこと、タイムスロット内の前記少なくとも１つのＳＲＳリソースセット内のいずれか１つのＳＲＳリソースに割り当てられた直交周波数分割多重（ＯＦＤＭ）シンボルが、全てアップリンクシンボルであること、タイムスロット内の前記ターゲットＳＲＳリソースに割り当てられたＯＦＤＭシンボルが、全てアップリンクシンボルであること、タイムスロット内の前記少なくとも１つのＳＲＳリソースセット内のいずれか１つのＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルのうちの少なくとも１つが、ＰＵＣＣＨによって占有されないこと、タイムスロットで構成された物理アップリンク共有チャネル（ＰＵＳＣＨ）が、ＰＵＳＣＨマッピングタイプＡを使用すること、タイムスロット内の前記ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の前記ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットであることを含むことを特徴とする、
請求項１０ないし１６のいずれか一項に記載のサウンディング参照信号の伝送方法。
【請求項１８】
前記ネットワーク機器が、前記ＤＣＩから始まるＫ個のタイムスロットを送信した後、第１プリセット条件を満たすタイムスロット内の、前記少なくとも１つのＳＲＳリソースセットに含まれるターゲットＳＲＳリソースでＳＲＳ信号を受信することは、
第１プリセット条件を満たすタイムスロット内の、前記少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、前記ネットワーク機器が、割り当てられたＯＦＤＭシンボルのうちの、前記少なくとも１つのＯＦＤＭシンボルを除くＯＦＤＭシンボルでＳＲＳ信号を受信することを含むことを特徴とする、
請求項１０ないし１７のいずれか一項に記載のサウンディング参照信号の伝送方法。
【請求項１９】
端末機器であって、
ネットワーク機器によって送信されるダウンリック制御情報（ＤＣＩ）を受信するように構成される通信ユニットであって、前記ＤＣＩは、サウンディング参照信号（ＳＲＳ）トリガシグナリングを含み、前記ＳＲＳトリガシグナリングは、少なくとも１つのＳＲＳリソースセットでのＳＲＳ伝送を指示するために使用される通信ユニットを備え、
前記通信ユニットは、さらに、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送するように構成され、Ｋは非負整数であることを特徴とする、前記端末機器。
【請求項２０】
前記Ｋの値は、前記少なくとも１つのＳＲＳリソースセットに対して、高層シグナリングを介して前記ネットワーク機器よって構成されたものであり、または、前記Ｋの値は、前記少なくとも１つのＳＲＳリソースセット内の各ＳＲＳリソースセットに対して、高層シグナリングを介して前記ネットワーク機器よってそれぞれ構成されたものであり、または、前記Ｋの値は、前記少なくとも１つのＳＲＳリソースセットに含まれる各ＳＲＳリソースに対して、高層シグナリングを介して前記ネットワーク機器よってそれぞれ構成されたものであることを特徴とする、
請求項１９に記載の端末機器。
【請求項２１】
前記Ｋの値が、前記少なくとも１つのＳＲＳリソースセットに対して、高層シグナリングを介して前記ネットワーク機器よって構成されたものである場合、
前記通信ユニットは、具体的に、
前記ＤＣＩから始まるＫ個のタイムスロットを受信した後、第１プリセット条件を満たすタイムスロット内の、前記少なくとも１つのＳＲＳリソースセットに含まれる全てのＳＲＳリソースでＳＲＳ信号を伝送するように構成されることを特徴とする、
請求項２０に記載の端末機器。
【請求項２２】
前記Ｋの値が、前記少なくとも１つのＳＲＳリソースセット内の各ＳＲＳリソースセットに対して、高層シグナリングを介して前記ネットワーク機器によって構成されたものである場合、
前記通信ユニットは、具体的に、
前記ＤＣＩから始まるＫ１個のタイムスロットを受信した後、第１プリセット条件を満たすタイムスロット内の、第１ＳＲＳリソースセット内のＳＲＳリソースでＳＲＳ信号を伝送するように構成され、前記第１ＳＲＳリソースセットは、前記少なくとも１つのＳＲＳリソースセットに属し、Ｋ１は、前記第１ＳＲＳリソースセットに対して前記ネットワーク機器によって構成された第１伝送遅延であることを特徴とする、
請求項２０に記載の端末機器。
【請求項２３】
前記Ｋの値が、前記少なくとも１つのＳＲＳリソースセットに含まれる各ＳＲＳリソースに対して、高層シグナリングを介して前記ネットワーク機器よってそれぞれ構成されたものである場合、
前記通信ユニットは、具体的に、
前記ＤＣＩから始まるＫ２個のタイムスロットを受信した後、第１プリセット条件を満たすタイムスロット内の、第１ＳＲＳリソースでＳＲＳ信号を伝送するように構成され、前記第１ＳＲＳリソースは、前記少なくとも１つのＳＲＳリソースセットに属し、Ｋ２は、前記第１ＳＲＳリソースに対して前記ネットワーク機器によって構成された第２伝送遅延であることを特徴とする、
請求項２０に記載の端末機器。
【請求項２４】
前記通信ユニットは、具体的に、
前記ＤＣＩから始まるＫ個のタイムスロットを受信した後、第１プリセット条件を満たす最初のタイムスロット内の、前記少なくとも１つのＳＲＳリソースセットに含まれるターゲットＳＲＳリソースでＳＲＳ信号を伝送するように構成されることを特徴とする、
請求項１９ないし２３のいずれか一項に記載の端末機器。
【請求項２５】
前記通信ユニットは、具体的に、
前記ＤＣＩから始まるＫ個のタイムスロットを受信した後、第１プリセット条件を満たすタイムスロット内のアクティブ化された帯域幅部分（ＢＷＰ）で、前記少なくとも１つのＳＲＳリソースセットに含まれるターゲットＳＲＳリソースでＳＲＳ信号を伝送するように構成され、または、
前記ＤＣＩから始まるＫ個のタイムスロットを受信した後、第１プリセット条件を満たすタイムスロット内の、前記少なくとも１つのＳＲＳリソースセットに関連付けられたＢＷＰで、前記少なくとも１つのＳＲＳリソースセットに含まれるターゲットＳＲＳリソースでＳＲＳ信号を伝送するように構成されることを特徴とする、
請求項１９ないし２４のいずれか一項に記載の端末機器。
【請求項２６】
前記第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲット物理アップリンク制御チャネル（ＰＵＣＣＨ）フォーマットのＰＵＣＣＨの伝送のために使用されないこと、タイムスロット内の前記少なくとも１つのＳＲＳリソースセット内のいずれか１つのＳＲＳリソースに割り当てられた直交周波数分割多重（ＯＦＤＭ）シンボルが、全てアップリンクシンボルであること、タイムスロット内の前記ターゲットＳＲＳリソースに割り当てられたＯＦＤＭシンボルが、全てアップリンクシンボルであること、タイムスロット内の前記少なくとも１つのＳＲＳリソースセット内のいずれか１つのＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルのうちの少なくとも１つが、ＰＵＣＣＨによって占有されないこと、タイムスロットで構成された物理アップリンク共有チャネル（ＰＵＳＣＨ）が、ＰＵＳＣＨマッピングタイプＡを使用すること、タイムスロット内の前記ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の前記ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットであることを含むことを特徴とする、
請求項１９ないし２５のいずれか一項に記載の端末機器。
【請求項２７】
前記通信ユニットは、具体的に、
第１プリセット条件を満たすタイムスロット内の、前記少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、割り当てられたＯＦＤＭシンボルのうちの、前記少なくとも１つのＯＦＤＭシンボルを除くＯＦＤＭシンボルでＳＲＳ信号を伝送するように構成されることを特徴とする、
請求項１９ないし２６のいずれか一項に記載の端末機器。
【請求項２８】
ネットワーク機器であって、
ダウンリック制御情報（ＤＣＩ）を端末機器に送信するように構成される通信ユニットであって、前記ＤＣＩは、サウンディング参照信号（ＳＲＳ）トリガシグナリングを含み、前記ＳＲＳトリガシグナリングは、少なくとも１つのＳＲＳリソースセットでのＳＲＳ伝送を指示するために使用される通信ユニットを備え、
前記通信ユニットは、さらに、前記ＤＣＩから始まるＫ個のタイムスロットを送信した後、第１プリセット条件を満たすタイムスロット内の、前記少なくとも１つのＳＲＳリソースセットに含まれるターゲットＳＲＳリソースでＳＲＳ信号を受信するように構成され、Ｋは非負整数であることを特徴とする、前記ネットワーク機器。
【請求項２９】
前記Ｋの値は、前記少なくとも１つのＳＲＳリソースセットに対して、高層シグナリングを介して前記ネットワーク機器よって構成されたものであり、または、前記Ｋの値は、前記少なくとも１つのＳＲＳリソースセット内の各ＳＲＳリソースセットに対して、高層シグナリングを介して前記ネットワーク機器よってそれぞれ構成されたものであり、または、前記Ｋの値は、前記少なくとも１つのＳＲＳリソースセットに含まれる各ＳＲＳリソースに対して、高層シグナリングを介して前記ネットワーク機器よってそれぞれ構成されたものであることを特徴とする、
請求項２８に記載のネットワーク機器。
【請求項３０】
前記Ｋの値が、前記少なくとも１つのＳＲＳリソースセットに対して、高層シグナリングを介して前記ネットワーク機器よって構成されたものである場合、
前記通信ユニットは、具体的に、
前記ＤＣＩから始まるＫ個のタイムスロットを送信した後、第１プリセット条件を満たすタイムスロット内の、前記少なくとも１つのＳＲＳリソースセットに含まれる全てのＳＲＳリソースでＳＲＳ信号を受信するように構成されることを特徴とする、
請求項２９に記載のネットワーク機器。
【請求項３１】
前記Ｋの値が、前記少なくとも１つのＳＲＳリソースセット内の各ＳＲＳリソースセットに対して、高層シグナリングを介して前記ネットワーク機器によって構成されたものである場合、
前記通信ユニットは、具体的に、
前記ＤＣＩから始まるＫ１個のタイムスロットを送信した後、第１プリセット条件を満たすタイムスロット内の、第１ＳＲＳリソースセット内のＳＲＳリソースでＳＲＳ信号を受信するように構成され、前記第１ＳＲＳリソースセットは、前記少なくとも１つのＳＲＳリソースセットに属し、Ｋ１は、前記第１ＳＲＳリソースセットに対して前記ネットワーク機器によって構成された第１伝送遅延であることを特徴とする、
請求項２９に記載のネットワーク機器。
【請求項３２】
前記Ｋの値が、前記少なくとも１つのＳＲＳリソースセットに含まれる各ＳＲＳリソースに対して、高層シグナリングを介して前記ネットワーク機器よってそれぞれ構成されたものである場合、
前記通信ユニットは、具体的に、
前記ＤＣＩから始まるＫ２個のタイムスロットを送信した後、第１プリセット条件を満たすタイムスロット内の、第１ＳＲＳリソースでＳＲＳ信号を受信するように構成され、前記第１ＳＲＳリソースは、前記少なくとも１つのＳＲＳリソースセットに属し、Ｋ２は、前記第１ＳＲＳリソースに対して前記ネットワーク機器によって構成された第２伝送遅延であることを特徴とする、
請求項２９に記載のネットワーク機器。
【請求項３３】
前記通信ユニットは、具体的に、
前記ＤＣＩから始まるＫ個のタイムスロットを送信した後、第１プリセット条件を満たす最初のタイムスロット内の、前記少なくとも１つのＳＲＳリソースセットに含まれるターゲットＳＲＳリソースでＳＲＳ信号を受信するように構成されることを特徴とする、
請求項２８ないし３２のいずれか一項に記載のネットワーク機器。
【請求項３４】
前記通信ユニットは、具体的に、
前記ＤＣＩから始まるＫ個のタイムスロットを送信した後、第１プリセット条件を満たすタイムスロット内のアクティブ化された帯域幅部分（ＢＷＰ）で、前記少なくとも１つのＳＲＳリソースセットに含まれるターゲットＳＲＳリソースでＳＲＳ信号を受信するように構成され、または、
前記ＤＣＩから始まるＫ個のタイムスロットを送信した後、第１プリセット条件を満たすタイムスロット内の前記少なくとも１つのＳＲＳリソースセットに関連付けられたＢＷＰで、前記少なくとも１つのＳＲＳリソースセットに含まれるターゲットＳＲＳリソースでＳＲＳ信号を受信するように構成されることを特徴とする、
請求項２８ないし３３のいずれか一項に記載のネットワーク機器。
【請求項３５】
前記第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲット物理アップリンク制御チャネル（ＰＵＣＣＨ）フォーマットのＰＵＣＣＨの伝送のために使用されないこと、タイムスロット内の前記少なくとも１つのＳＲＳリソースセット内のいずれか１つのＳＲＳリソースに割り当てられた直交周波数分割多重（ＯＦＤＭ）シンボルが、全てアップリンクシンボルであること、タイムスロット内の前記ターゲットＳＲＳリソースに割り当てられたＯＦＤＭシンボルが、全てアップリンクシンボルであること、タイムスロット内の前記少なくとも１つのＳＲＳリソースセット内のいずれか１つのＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルのうちの少なくとも１つが、ＰＵＣＣＨによって占有されないこと、タイムスロットで構成された物理アップリンク共有チャネル（ＰＵＳＣＨ）が、ＰＵＳＣＨマッピングタイプＡを使用すること、タイムスロット内の前記ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の前記ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットであることを含むことを特徴とする、
請求項２８ないし３４のいずれか一項に記載のネットワーク機器。
【請求項３６】
前記通信ユニットは、具体的に、
第１プリセット条件を満たすタイムスロット内の、前記少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、割り当てられたＯＦＤＭシンボルのうちの、前記少なくとも１つのＯＦＤＭシンボルを除くＯＦＤＭシンボルでＳＲＳ信号を受信するように構成されることを特徴とする、
請求項２８ないし３５のいずれか一項に記載のネットワーク機器。
【発明の詳細な説明】
【技術分野】
【０００１】
本出願は、通信分野に関し、より具体的に、サウンディング参照信号（ＳＲＳ：Ｓｏｕｎｄｉｎｇ  Ｒｅｆｅｒｅｎｃｅ  Ｓｉｇｎａｌ）伝送方法、端末機器およびネットワーク機器に関する。
【背景技術】
【０００２】
第５世代モバイル通信技術におけるニューラジオ（５Ｇ  ＮＲ：５−Ｇｅｎｅｒａｔｉｏｎ  Ｎｅｗ  Ｒａｄｉｏ）では、ネットワーク機器は、１つまたは複数の非周期的ＳＲＳ（Ａｐｅｒｉｏｄｉｃ  ＳＲＳ）リソースセットを事前に構成することができ、ダウンリック制御情報（ＤＣＩ：Ｄｏｗｎｌｉｎｋ  Ｃｏｎｔｒｏｌ  Ｉｎｆｏｒｍａｔｉｏｎ）におけるトリガシグナリングによって、これらのＳＲＳリソースセットのうちの１つのＳＲＳリソースセットに基づいて伝送を実行するように、端末機器をトリガする。端末機器が対応するトリガシグナリングを受信すると、ターゲットＳＲＳリソースセット内のＳＲＳリソースに基づいてＳＲＳを伝送する。しかしながら、ＳＲＳを伝送するための時間領域リソースがネットワーク機器によって構成されていない場合、またはネットワーク機器によって構成された、ＳＲＳを伝送するための時間領域リソースが不十分である場合、端末機器は、ＳＲＳを伝送するための時間領域リソースを決定できない。
【発明の概要】
【発明が解決しようとする課題】
【０００３】
本願実施例は、高層シグナリングを介してネットワーク機器によって構成されたタイムスロットに、ＳＲＳの伝送に使用できる時間領域リソースが含まれていない場合、または含まれている時間領域リソースが不十分である場合、端末機器によって、ＳＲＳを伝送するタイムスロットを決定できることにより、ＳＲＳを伝送するための適切なアップリンクリソースを見つけることができ、さらに、アップリンク伝送性能を保証できる、サウンディング参照信号の伝送方法、端末機器およびネットワーク機器を提供する。
【課題を解決するための手段】
【０００４】
第１態様によれば、本願実施例は、サウンディング参照信号の伝送方法を提供し、前記方法は、
端末機器が、ネットワーク機器によって送信されるＤＣＩを受信し、当該ＤＣＩは、ＳＲＳトリガシグナリングを含み、当該ＳＲＳトリガシグナリングは、少なくとも１つのＳＲＳリソースセットでのＳＲＳ伝送を指示するために使用されることと、
当該端末機器が、当該ＤＣＩから始まるＫ個のタイムスロットを受信した後、第１プリセット条件を満たすタイムスロット内の、当該少なくとも１つのＳＲＳリソースセットに含まれるターゲットＳＲＳリソースでＳＲＳ信号を伝送することであって、Ｋは非負整数であることと、を含む。
【０００５】
したがって、本願実施例によるサウンディング参照信号の伝送方法において、端末機器が、ＳＲＳトリガシグナリングを含む、ＤＣＩから始まるＫ個のタイムスロットを受信した後、第１プリセット条件を満たすタイムスロット内の、少なくとも１つのＳＲＳリソースセットに含まれるターゲットＳＲＳリソースでＳＲＳ信号を伝送することにより、端末機器は、ＳＲＳを伝送するタイムスロットを決定し、ＳＲＳを伝送するための適切なアップリンクリソースを見つけ、さらに、アップリンク伝送性能を保証することができる。
【０００６】
例示的に、第１態様の一実現形態において、当該Ｋの値は、当該少なくとも１つのＳＲＳリソースセットに対して、高層シグナリングを介して当該ネットワーク機器によって構成されたものであり、または、当該Ｋの値は、当該少なくとも１つのＳＲＳリソースセット内の各ＳＲＳリソースセットに対して、高層シグナリングを介して当該ネットワーク機器によってそれぞれ構成されたものであり、または、当該Ｋの値は、当該少なくとも１つのＳＲＳリソースセットに含まれる各ＳＲＳリソースに対して、高層シグナリングを介して当該ネットワーク機器によってそれぞれ構成されたものである。
【０００７】
例示的に、第１態様の一実現形態において、当該Ｋの値が、当該少なくとも１つのＳＲＳリソースセットに対して、高層シグナリングを介して当該ネットワーク機器によって構成されたものである場合、
当該端末機器が、当該ＤＣＩから始まるＫ個のタイムスロットを受信した後、第１プリセット条件を満たすタイムスロット内の、当該少なくとも１つのＳＲＳリソースセットに含まれるターゲットＳＲＳリソースでＳＲＳ信号を伝送することは、
当該端末機器が、当該ＤＣＩから始まるＫ個のタイムスロットを受信した後、第１プリセット条件を満たすタイムスロット内の、当該少なくとも１つのＳＲＳリソースセットに含まれる全てのＳＲＳリソースでＳＲＳ信号を伝送することを含む。
【０００８】
例示的に、第１態様の一実現形態において、当該Ｋの値が、当該少なくとも１つのＳＲＳリソースセット内の各ＳＲＳリソースセットに対して、高層シグナリングを介して当該ネットワーク機器によってそれぞれ構成されたものである場合、
当該端末機器が、当該ＤＣＩから始まるＫ個のタイムスロットを受信した後、第１プリセット条件を満たすタイムスロット内の、当該少なくとも１つのＳＲＳリソースセットに含まれるターゲットＳＲＳリソースでＳＲＳ信号を伝送することは、
当該端末機器が、当該ＤＣＩから始まるＫ１個のタイムスロットを受信した後、第１プリセット条件を満たすタイムスロット内の、第１ＳＲＳリソースセット内のＳＲＳリソースでＳＲＳ信号を伝送することであって、当該第１ＳＲＳリソースセットは、当該少なくとも１つのＳＲＳリソースセットに属し、Ｋ１は、当該第１ＳＲＳリソースセットに対して当該ネットワーク機器によって構成された第１伝送遅延であることを含む。
【０００９】
例示的に、第１態様の一実現形態において、当該Ｋの値が、当該少なくとも１つのＳＲＳリソースセットに含まれる各ＳＲＳリソースに対して、高層シグナリングを介して当該ネットワーク機器によってそれぞれ構成されたものである場合、
当該端末機器が、当該ＤＣＩから始まるＫ個のタイムスロットを受信した後、第１プリセット条件を満たすタイムスロット内の、当該少なくとも１つのＳＲＳリソースセットに含まれるターゲットＳＲＳリソースでＳＲＳ信号を伝送することは、
当該端末機器が、当該ＤＣＩから始まるＫ２個のタイムスロットを受信した後、第１プリセット条件を満たすタイムスロット内の、第１ＳＲＳリソースでＳＲＳ信号を伝送することであって、当該第１ＳＲＳリソースは、当該少なくとも１つのＳＲＳリソースセットに属し、Ｋ２は、当該第１ＳＲＳリソースに対して当該ネットワーク機器によって構成された第２伝送遅延であることを含む。
【００１０】
例示的に、第１態様の一実現形態において、当該端末機器が、当該ＤＣＩから始まるＫ個のタイムスロットを受信した後、第１プリセット条件を満たすタイムスロット内の、当該少なくとも１つのＳＲＳリソースセットに含まれるターゲットＳＲＳリソースでＳＲＳ信号を伝送することは、
当該端末機器が、当該ＤＣＩから始まるＫ個のタイムスロットを受信した後、第１プリセット条件を満たす最初のタイムスロット内の、当該少なくとも１つのＳＲＳリソースセットに含まれるターゲットＳＲＳリソースでＳＲＳ信号を伝送することを含む。
【００１１】
例示的に、第１態様の一実現形態において、当該端末機器が、当該ＤＣＩから始まるＫ個のタイムスロットを受信した後、第１プリセット条件を満たすタイムスロット内の、当該少なくとも１つのＳＲＳリソースセットに含まれるターゲットＳＲＳリソースでＳＲＳ信号を伝送することは、
当該端末機器が、当該ＤＣＩから始まるＫ個のタイムスロットを受信した後、第１プリセット条件を満たすタイムスロット内のアクティブ化された帯域幅部分（ＢＷＰ：Ｂａｎｄ  Ｗｉｄｔｈ  Ｐａｒｔ）で、当該少なくとも１つのＳＲＳリソースセットに含まれるターゲットＳＲＳリソースでＳＲＳ信号を伝送すること、または、
当該端末機器が、当該ＤＣＩから始まるＫ個のタイムスロットを受信した後、第１プリセット条件を満たすタイムスロット内の当該少なくとも１つのＳＲＳリソースセットに関連付けられたＢＷＰで、当該少なくとも１つのＳＲＳリソースセットに含まれるターゲットＳＲＳリソースでＳＲＳ信号を伝送することを含む。
【００１２】
例示的に、第１態様の一実現形態において、当該第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲット物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）フォーマットのＰＵＣＣＨの伝送のために使用されないこと、タイムスロット内の当該少なくとも１つのＳＲＳリソースセット内のいずれか１つのＳＲＳリソースに割り当てられた直交周波数分割多重（ＯＦＤＭ：Ｏｒｔｈｏｇｏｎａｌ  ｆｒｅｑｕｅｎｃｙ−ｄｉｖｉｓｉｏｎ  ｍｕｌｔｉｐｌｅｘｉｎｇ）シンボルが、全てアップリンクシンボルであること、タイムスロット内の当該ターゲットＳＲＳリソースに割り当てられたＯＦＤＭシンボルが、全てアップリンクシンボルであること、タイムスロット内の当該少なくとも１つのＳＲＳリソースセット内のいずれか１つのＳＲＳリソースに割り当てられたＯＦＤＭシンボルが、全てＰＵＣＣＨによって占有されないこと、タイムスロット内の当該ターゲットＳＲＳリソースに割り当てられたＯＦＤＭシンボルが、全てＰＵＣＣＨによって占有されないこと、タイムスロット内の当該ターゲットＳＲＳリソースに割り当てられたＯＦＤＭシンボルのうちの少なくとも１つのシンボルが、ＰＵＣＣＨによって占有されないこと、タイムスロットで構成された物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）が、ＰＵＳＣＨマッピングタイプＡを使用すること、タイムスロット内の当該ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の当該ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットである。
【００１３】
例示的に、第１態様の一実現形態において、当該端末機器が、当該ＤＣＩから始まるＫ個のタイムスロットを受信した後、第１プリセット条件を満たすタイムスロット内の、当該少なくとも１つのＳＲＳリソースセットに含まれるターゲットＳＲＳリソースでＳＲＳ信号を伝送することは、
第１プリセット条件を満たすタイムスロット内の、当該少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、当該端末機器が、割り当てられたＯＦＤＭシンボルのうちの当該少なくとも１つのＯＦＤＭシンボルを除くＯＦＤＭシンボルでＳＲＳ信号を伝送することを含む。
【００１４】
第２態様によれば、本願実施例は、サウンディング参照信号の伝送方法を提供し、前記方法は、
ネットワーク機器が、ＤＣＩを端末機器に送信することであって、当該ＤＣＩは、ＳＲＳトリガシグナリングを含み、当該ＳＲＳトリガシグナリングは、少なくとも１つのＳＲＳリソースセットでのＳＲＳ伝送を指示するために使用されることと、
当該ネットワーク機器が、当該ＤＣＩから始まるＫ個のタイムスロットを送信した後、第１プリセット条件を満たすタイムスロット内の、当該少なくとも１つのＳＲＳリソースセットに含まれるターゲットＳＲＳリソースでＳＲＳ信号を受信することであって、Ｋは非負整数であることと、を含む。
【００１５】
したがって、本願実施例によるサウンディング参照信号の伝送方法において、ネットワーク機器が、ＳＲＳトリガシグナリングを含む、ＤＣＩから始まるＫ個のタイムスロットを送信した後、第１プリセット条件を満たすタイムスロット内の、少なくとも１つのＳＲＳリソースセットに含まれるターゲットＳＲＳリソースでＳＲＳ信号を受信することにより、ネットワーク機器は、ＳＲＳを伝送するタイムスロットを決定し、ＳＲＳを伝送するための適切なアップリンクリソースを見つけ、さらに、アップリンク伝送性能を保証することができる。
【００１６】
例示的に、第２態様の一実現形態において、当該Ｋの値は、当該少なくとも１つのＳＲＳリソースセットに対して、高層シグナリングを介して当該ネットワーク機器によって構成されたものであり、または、当該Ｋの値は、当該少なくとも１つのＳＲＳリソースセット内の各ＳＲＳリソースセットに対して、高層シグナリングを介して当該ネットワーク機器によってそれぞれ構成されたものであり、または、当該Ｋの値は、当該少なくとも１つのＳＲＳリソースセットに含まれる各ＳＲＳリソースに対して、高層シグナリングを介して当該ネットワーク機器によってそれぞれ構成されたものである。
【００１７】
例示的に、第２態様の一実現形態において、当該Ｋの値が、当該少なくとも１つのＳＲＳリソースセットに対して、高層シグナリングを介して当該ネットワーク機器によって構成されたものである場合、
当該ネットワーク機器が、当該ＤＣＩから始まるＫ個のタイムスロットを送信した後、第１プリセット条件を満たすタイムスロット内の、当該少なくとも１つのＳＲＳリソースセットに含まれるターゲットＳＲＳリソースでＳＲＳ信号を受信することは、
当該ネットワーク機器が、当該ＤＣＩから始まるＫ個のタイムスロットを送信した後、第１プリセット条件を満たすタイムスロット内の、当該少なくとも１つのＳＲＳリソースセットに含まれる全てのＳＲＳリソースでＳＲＳ信号を受信することを含む。
【００１８】
例示的に、第２態様の一実現形態において、当該Ｋの値が、当該少なくとも１つのＳＲＳリソースセット内の各ＳＲＳリソースセットに対して、高層シグナリングを介して当該ネットワーク機器によってそれぞれ構成されたものである場合、
当該ネットワーク機器が、当該ＤＣＩから始まるＫ個のタイムスロットを送信した後、第１プリセット条件を満たすタイムスロット内の、当該少なくとも１つのＳＲＳリソースセットに含まれるターゲットＳＲＳリソースでＳＲＳ信号を受信することは、
当該ネットワーク機器が、当該ＤＣＩから始まるＫ１個のタイムスロットを送信した後、第１プリセット条件を満たすタイムスロット内の、第１ＳＲＳリソースセット内のＳＲＳリソースでＳＲＳ信号を受信することであって、当該第１ＳＲＳリソースセットは、当該少なくとも１つのＳＲＳリソースセットに属し、Ｋ１は、当該第１ＳＲＳリソースセットに対して当該ネットワーク機器によって構成された第１伝送遅延であることを含む。
【００１９】
例示的に、第２態様の一実現形態において、当該Ｋの値が、当該少なくとも１つのＳＲＳリソースセットに含まれる各ＳＲＳリソースに対して、高層シグナリングを介して当該ネットワーク機器によってそれぞれ構成されたものである場合、
当該ネットワーク機器が、当該ＤＣＩから始まるＫ個のタイムスロットを送信した後、第１プリセット条件を満たすタイムスロット内の、当該少なくとも１つのＳＲＳリソースセットに含まれるターゲットＳＲＳリソースでＳＲＳ信号を受信することは、
当該ネットワーク機器が、当該ＤＣＩから始まるＫ２個のタイムスロットを送信した後、第１プリセット条件を満たすタイムスロット内の、第１ＳＲＳリソースでＳＲＳ信号を受信することであって、当該第１ＳＲＳリソースは、当該少なくとも１つのＳＲＳリソースセットに属し、Ｋ２は、当該第１ＳＲＳリソースに対して当該ネットワーク機器によって構成された第２伝送遅延であることを含む。
【００２０】
例示的に、第２態様の一実現形態において、当該ネットワーク機器が、当該ＤＣＩから始まるＫ個のタイムスロットを送信した後、第１プリセット条件を満たすタイムスロット内の、当該少なくとも１つのＳＲＳリソースセットに含まれるターゲットＳＲＳリソースでＳＲＳ信号を受信することは、
当該ネットワーク機器が、当該ＤＣＩから始まるＫ個のタイムスロットを送信した後、第１プリセット条件を満たす最初のタイムスロット内の、当該少なくとも１つのＳＲＳリソースセットに含まれるターゲットＳＲＳリソースでＳＲＳ信号を受信することを含む。
【００２１】
例示的に、第２態様の一実現形態において、当該ネットワーク機器が、当該ＤＣＩから始まるＫ個のタイムスロットを送信した後、第１プリセット条件を満たすタイムスロット内の、当該少なくとも１つのＳＲＳリソースセットに含まれるターゲットＳＲＳリソースでＳＲＳ信号を受信することは、
当該ネットワーク機器が、当該ＤＣＩから始まるＫ個のタイムスロットを送信した後、第１プリセット条件を満たすタイムスロット内のアクティブ化されたＢＷＰで、当該少なくとも１つのＳＲＳリソースセットに含まれるターゲットＳＲＳリソースでＳＲＳ信号を受信すること、または、
当該ネットワーク機器が、当該ＤＣＩから始まるＫ個のタイムスロットを送信した後、第１プリセット条件を満たすタイムスロット内の当該少なくとも１つのＳＲＳリソースセットに関連付けられたＢＷＰで、当該少なくとも１つのＳＲＳリソースセットに含まれるターゲットＳＲＳリソースでＳＲＳ信号を受信することを含む。
【００２２】
例示的に、第２態様の一実現形態において、当該第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲットＰＵＣＣＨフォーマットのＰＵＣＣＨの伝送のために使用されないこと、タイムスロット内の当該少なくとも１つのＳＲＳリソースセット内のいずれか１つのＳＲＳリソースに割り当てられたＯＦＤＭシンボルが、全てアップリンクシンボルであること、タイムスロット内の当該ターゲットＳＲＳリソースに割り当てられたＯＦＤＭシンボルが、全てアップリンクシンボルであること、タイムスロット内の当該少なくとも１つのＳＲＳリソースセット内のいずれか１つのＳＲＳリソースに割り当てられたＯＦＤＭシンボルが、全てＰＵＣＣＨによって占有されないこと、タイムスロット内の当該ターゲットＳＲＳリソースに割り当てられたＯＦＤＭシンボルが、全てＰＵＣＣＨによって占有されないこと、タイムスロット内の当該ターゲットＳＲＳリソースに割り当てられたＯＦＤＭシンボルのうちの少なくとも１つのシンボルが、ＰＵＣＣＨによって占有されないこと、タイムスロットで構成されたＰＵＳＣＨが、ＰＵＳＣＨマッピングタイプＡを使用すること、タイムスロット内の当該ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の当該ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットである。
【００２３】
例示的に、第２態様の一実現形態において、当該ネットワーク機器が、当該ＤＣＩから始まるＫ個のタイムスロットを送信した後、第１プリセット条件を満たすタイムスロット内の、当該少なくとも１つのＳＲＳリソースセットに含まれるターゲットＳＲＳリソースでＳＲＳ信号を受信することは、
第１プリセット条件を満たすタイムスロット内の、当該少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、当該ネットワーク機器が、割り当てられたＯＦＤＭシンボルのうちの当該少なくとも１つのＯＦＤＭシンボルを除くＯＦＤＭシンボルでＳＲＳ信号を受信することを含む。
【００２４】
第３態様によれば、本願実施例は、第１態様または第１態様の任意の実現形態における方法を実行できるモジュールまたはユニットを備える端末機器を提供する。
【００２５】
第４態様によれば、本願実施例は、第２態様または第２態様の任意の実現形態における方法を実行できるモジュールまたはユニットを備えるネットワーク機器を提供する。
【００２６】
第５態様によれば、プロセッサと、メモリと、通信インターフェースとを備える端末機器を提供する。プロセッサは、メモリおよび通信インターフェースに接続される。メモリは、命令を記憶するために使用され、プロセッサは、当該命令を実行するために使用され、通信インターフェースは、プロセッサの制御下で他のネットワーク要素と通信するために使用される。当該プロセッサが当該メモリに記憶された命令を実行すると、当該実行により、当該プロセッサに第１態様または第１態様の任意の実現形態における方法を実行させる。
【００２７】
第６態様によれば、プロセッサと、メモリと、通信インターフェースとを備えるネットワーク機器を提供する。プロセッサは、メモリおよび通信インターフェースに接続される。メモリは、命令を記憶するために使用され、プロセッサは、当該命令を実行するために使用され、通信インターフェースは、プロセッサの制御下で他のネットワーク要素と通信するために使用される。当該プロセッサが当該メモリに記憶された命令を実行すると、当該実行により、当該プロセッサに第２態様または第２態様の任意の実現形態における方法を実行させる。
【００２８】
第７態様によれば、上記の各態様に記載の方法に対応する命令をコンピュータに実行させるように指示するために使用されるプログラムコードが記憶されるコンピュータ記憶媒体を提供する。
【００２９】
第８態様によれば、命令を含むコンピュータプログラム製品であって、当該命令がコンピュータで実行されると、上記の各態様に記載の方法をコンピュータに実行させる、命令を含むコンピュータプログラム製品を提供する。
【図面の簡単な説明】
【００３０】
【図１】本願実施例の適用シナリオの概略図である。
【図２】本願実施例によるサウンディング参照信号の伝送方法の例示的なフローチャートである。
【図３】本願実施例による別のサウンディング参照信号の伝送方法の例示的なフローチャートである。
【図４】本願実施例による端末機器の例示的なブロック図である。
【図５】本願実施例によるネットワーク機器の例示的なブロック図である。
【図６】本願実施例による無線通信機器の例示的なブロック図である。
【図７】本願実施例によるシステムチップの例示的な構造図である。
【発明を実施するための形態】
【００３１】
以下、本出願の実施例における技術的解決策を本出願の実施例における図面を参照して明確かつ完全に説明する。
【００３２】
本願実施例による技術的解決策は、５Ｇ  ＮＲ通信システムに適用されることができる。
【００３３】
本願実施例における端末機器は、ユーザ機器（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、モバイル機器、ユーザ端末、端末、無線通信機器、ユーザエージェント、またはユーザ装置を指し得る。アクセス端末は、携帯電話、コードレス電話、セッション開始プロトコル（ＳＩＰ：ｓｅｓｓｉｏｎ  ｉｎｉｔｉａｔｉｏｎ  ｐｒｏｔｏｃｏｌ）電話、無線ローカルループ（ＷＬＬ：ｗｉｒｅｌｅｓｓ  ｌｏｃａｌ  ｌｏｏｐ）ステーション、携帯情報端末（ＰＤＡ：ｐｅｒｓｏｎａｌ  ｄｉｇｉｔａｌ  ａｓｓｉｓｔａｎｔ）、ワイヤレス通信機能を備えたハンドヘルド機器、コンピューティング機器またはワイヤレスモデムに接続されたその他の処理機器、車載機器、ウェアラブル機器、５Ｇネットワークにおける端末機器または未来進化の公衆陸上移動通信網（ＰＬＭＮ：ｐｕｂｌｉｃ  ｌａｎｄ  ｍｏｂｉｌｅ  ｎｅｔｗｏｒｋ）における端末機器などであってもよいが、本願実施例はこれらに限定されない。
【００３４】
本出願は、ネットワーク機器を参照して各実施例を説明する。本願実施例におけるネットワーク機器は、端末機器と通信する機器であってもよく、当該ネットワーク機器は、ＬＴＥシステムにおける進化型基地局（ｅＮＢまたはｅＮｏｄｅＢ：Ｅｖｏｌｕｔｉｏｎａｌ  ＮｏｄｅＢ、）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）シナリオでのワイヤレスコントローラであってもよく、または当該ネットワーク機器は、リレーステーション、アクセスポイント、車載装置、ウェアラブル装置および未来５Ｇネットワークにおけるネットワーク装置（例えば、ｇＮＢ）または未来進化のＰＬＭＮネットワークにおけるネットワーク装置などであってもよいが、本願実施例はこれらに限定されない。
【００３５】
図１は、１つのネットワーク機器および２つの端末機器を例示的に示し、例示的に、当該無線通信システム１００は、複数のネットワーク機器を含むことができ、各ネットワーク機器のカバレッジは、他の数の端末機器を含むことができるが、本願実施例はこれに限定されない。
【００３６】
例示的に、当該無線通信システム１００は、接続及び移動性管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）エンティティ、セッション管理機能（ＳＭＦ：Ｓｅｓｓｉｏｎ  Ｍａｎａｇｅｍｅｎｔ  Ｆｕｎｃｔｉｏｎ）エンティティ、統合データ管理（ＵＤＭ：Ｕｎｉｆｉｅｄ  Ｄａｔａ  Ｍａｎａｇｅｍｅｎｔ）エンティティ、認証サーバ機能（ＡＵＳＦ：Ａｕｔｈｅｎｔｉｃａｔｉｏｎ  Ｓｅｒｖｅｒ  Ｆｕｎｃｔｉｏｎ）エンティティなどの他のネットワークエンティティをさらに含むことができるが、本願実施例はこれらに限定されない。
【００３７】
なお、本出願の各態様または特徴は、方法、装置または標準的なプログラミングおよび／またはエンジニアリング技術を使用した製造品として実現されることができる。本出願における「製品」という用語は、任意のコンピュータ可読デバイス、キャリアまたは媒体からアクセス可能なコンピュータプログラムを含む。例えば、コンピュータ可読媒体は、磁気記憶装置（例えば、ハードディスク、フロッピーディスクまたは磁気テープなど）、光ディスク（例えば、コンパクトディスク（ＣＤ：Ｃｏｍｐａｃｔ  Ｄｉｓｃ）、デジタル多用途ディスク（ＤＶＤ：Ｄｉｇｉｔａｌ  Ｖｅｒｓａｔｉｌｅ  Ｄｉｓｃ）等）、スマートカードおよびフラッシュメモリデバイス（例えば、消去可能なプログラム可能な読み取り専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、スティックまたはキードライバなど）を含むことができるが、これらに限定されない。さらに、本明細書で説明される様々な記憶媒体は、情報を記憶するための１つまたは複数の機器および／または他の機械可読媒体を表すことができる。「機械可読媒体」という用語は、命令および／またはデータを格納、収容および／または搬送することができる様々な媒体を含むことができるが、これらに限定されない。
【００３８】
本明細書における「システム」および「ネットワーク」という用語は、本明細書で常に互換的に使用されることを理解されたい。本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合の３つの場合を表す。さらに、本明細書における記号「／」は、一般的に、コンテキストオブジェクトが「または」の関係であることを示す。
【００３９】
図２は、本願実施例によるサウンディング参照信号の伝送方法２００の例示的なフローチャートである。当該方法２００は、図１に示されるシステムに適用されることができるが、これに限定されない。当該方法２００は、以下の内容の少なくとも一部を含む。
【００４０】
ステップＳ２１０において、端末機器が、ネットワーク機器によって送信されるＤＣＩを受信し、当該ＤＣＩは、ＳＲＳトリガシグナリングを含み、当該ＳＲＳトリガシグナリングは、少なくとも１つのＳＲＳリソースセットでのＳＲＳ伝送を指示するために使用される。
【００４１】
例示的に、当該ＳＲＳトリガシグナリングは、周期的なＳＲＳ伝送または非周期的なＳＲＳ伝送をトリガすることができる。
【００４２】
例えば、当該ＳＲＳトリガシグナリングは、２つのＤＣＩビットを含み、この２つのＤＣＩビットは、４つの指示値を含み、その３つの指示値のうちの異なる指示値は、異なるＳＲＳリソースセットをトリガするために使用され、１つの指示値は、ＳＲＳ伝送をトリガしないことを指示するために使用される。
【００４３】
５Ｇ  ＮＲでは、２つのＰＵＳＣＨマッピングタイプが定義され、ＰＵＳＣＨマッピングタイプＡの開始ＯＦＤＭシンボルは、タイムスロット内の最初のシンボルであり、即ち、ＰＵＳＣＨは、タイムスロットの開始位置から始まることを理解されたい。ＰＵＳＣＨマッピングタイプＢの開始ＯＦＤＭシンボルは、設定可能であり、タイムスロット内のいずれか１つのＯＦＤＭシンボルであり得る。ここで、ＰＵＳＣＨマッピングタイプＢは、ＳＲＳと同時に伝送できない。
【００４４】
ステップＳ２２０において、当該端末機器が、当該ＤＣＩから始まるＫ個のタイムスロットを受信した後、第１プリセット条件を満たすタイムスロット内の、当該少なくとも１つのＳＲＳリソースセットに含まれるターゲットＳＲＳリソースでＳＲＳ信号を伝送し、Ｋは非負整数である。
【００４５】
例示的に、当該Ｋの値は、当該少なくとも１つのＳＲＳリソースセットに対して、高層シグナリングを介して当該ネットワーク機器によって構成されたものであり、即ち、当該Ｋは、当該少なくとも１つのＳＲＳリソースセットに対して構成されたものであり、ＳＲＳトリガシグナリングの各状態は、１つのｋの値に対応し、トリガされた全てのＳＲＳリソースセットに適用される。Ｋは、ＳＲＳトリガシグナリングの各状態に対して、ネットワーク側によってそれぞれ構成されることができる。
【００４６】
例示的に、当該Ｋの値は、当該少なくとも１つのＳＲＳリソースセット内の各ＳＲＳリソースセットに対して、高層シグナリングを介して当該ネットワーク機器によってそれぞれ構成されたものである。
【００４７】
例示的に、当該Ｋの値は、当該少なくとも１つのＳＲＳリソースセットに含まれる各ＳＲＳリソースに対して、高層シグナリングを介して当該ネットワーク機器によってそれぞれ構成されたものである。
【００４８】
例示的に、当該第１プリセット条件を満たすタイムスロット内の全てのシンボルが、アップリンクシンボルである。
【００４９】
例えば、当該タイムスロットに対応するタイムスロットフォーマット指示（ＳＦＩ：ｓｌｏｔ  ｆｏｒｍａｔ  ｉｎｄｉｃａｔｏｒ）情報は、当該タイムスロットの全てのシンボルがアップリンクシンボルであることを指示する。
【００５０】
例示的に、当該第１プリセット条件を満たすタイムスロットには、少なくともＭ個のアップリンクシンボルが含まれ、Ｍは正整数である。
【００５１】
例えば、当該タイムスロットに対応するＳＦＩ情報は、当該タイムスロットに少なくともＭ個のアップリンクシンボルが存在することを指示し、ここで、Ｍは予定値であり、且つＭは正整数である。
【００５２】
例示的に、当該第１プリセット条件を満たすタイムスロット内の最後のＮ個のシンボルが、全てアップリンクシンボルであり、Ｎは正整数である。
【００５３】
例えば、当該タイムスロットに対応するＳＦＩ情報は、当該タイムスロット内の最後のＮ個のシンボルが全てアップリンクシンボルであることを指示し、ここで、Ｎは予定値であり、且つＮは正整数である。
【００５４】
例示的に、当該第１プリセット条件を満たすタイムスロットが、ターゲットＰＵＣＣＨフォーマットのＰＵＣＣＨの伝送のために使用されない。
【００５５】
例えば、当該ターゲットＰＵＣＣＨフォーマット（ｆｏｒｍａｔ）は、ＰＵＣＣＨ  ｆｏｒｍａｔ  ０またはＰＵＣＣＨ  ｆｏｒｍａｔ  ２であり、即ち、短いＰＵＣＣＨを送信するために使用されるＰＵＣＣＨフォーマットである。
【００５６】
別の例では、当該ターゲットＰＵＣＣＨ  ｆｏｒｍａｔは、ＰＵＣＣＨ  ｆｏｒｍａｔ  １、または、ＰＵＣＣＨ  ｆｏｒｍａｔ  ３、または、ＰＵＣＣＨ  ｆｏｒｍａｔ  ４であり、即ち、長いＰＵＣＣＨ送信するために使用されるＰＵＣＣＨフォーマットである。
【００５７】
例示的に、当該第１プリセット条件を満たすタイムスロット内の当該少なくとも１つのＳＲＳリソースセット内のいずれか１つのＳＲＳリソースに割り当てられたＯＦＤＭシンボルが、全てアップリンクシンボルである。
【００５８】
ネットワーク機器は、当該少なくとも１つのＳＲＳリソースセット内の各ＳＲＳリソースにそれぞれのＯＦＤＭシンボルを割り当て、例えば、各ＳＲＳリソースに対して、それぞれ１つの開始シンボルインデックスおよび占有シンボル数を構成することにより、割り当てられる連続するＯＦＤＭシンボルを決定することができる。
【００５９】
例示的に、当該第１プリセット条件を満たすタイムスロット内の当該ターゲットＳＲＳリソースに割り当てられたＯＦＤＭシンボルが、全てアップリンクシンボルである。
【００６０】
例えば、ターゲットＳＲＳリソースに対して、１つの開始シンボルインデックスおよび占有シンボル数を構成することにより、割り当てられる連続するＯＦＤＭシンボルを決定する。
【００６１】
例示的に、当該第１プリセット条件を満たすタイムスロット内の当該少なくとも１つのＳＲＳリソースセット内のいずれか１つのＳＲＳリソースに割り当てられたＯＦＤＭシンボルが、全てＰＵＣＣＨによって占有されない。
【００６２】
ＳＲＳリソースに割り当てられたＯＦＤＭシンボルが、ＰＵＣＣＨによって占有されないことは、前記ＯＦＤＭシンボルの全帯域幅にＰＵＣＣＨがないことであってもよく、前記ＯＦＤＭシンボルで前記ＳＲＳリソースによって占有される帯域幅にＰＵＣＣＨがないが、他の帯域幅にまだＰＵＣＣＨがある可能性があることであってもよいことを理解されたい。
【００６３】
例示的に、当該第１プリセット条件を満たすタイムスロット内の当該ターゲットＳＲＳリソースに割り当てられたＯＦＤＭシンボルが、全てＰＵＣＣＨによって占有されない。
【００６４】
ターゲットＳＲＳリソースに割り当てられたＯＦＤＭシンボルが、ＰＵＣＣＨによって占有されないことは、前記ＯＦＤＭシンボルの全帯域幅にＰＵＣＣＨがないことであってもよく、前記ＯＦＤＭシンボルで前記ＳＲＳリソースによって占有される帯域幅にＰＵＣＣＨがないが、他の帯域幅にまだＰＵＣＣＨがある可能性があることであってもよいことを理解されたい。
【００６５】
例示的に、当該第１プリセット条件を満たすタイムスロット内の当該ターゲットＳＲＳリソースに割り当てられたＯＦＤＭシンボルのうちの少なくとも１つのシンボルが、ＰＵＣＣＨによって占有されない。
【００６６】
ターゲットＳＲＳリソースに割り当てられたＯＦＤＭシンボルが、ＰＵＣＣＨによって占有されないことは、前記ＯＦＤＭシンボル（全帯域幅）にＰＵＣＣＨがないことであってもよく、前記ＯＦＤＭシンボルで前記ＳＲＳリソースによって占有される帯域幅にＰＵＣＣＨがないが、他の帯域幅にまだＰＵＣＣＨがある可能性があることであってもよいことを理解されたい。
【００６７】
例示的に、当該第１プリセット条件を満たすタイムスロットで構成されたＰＵＳＣＨが、ＰＵＳＣＨマッピングタイプＡを使用する。
【００６８】
ＰＵＳＣＨマッピングタイプＡに対応するＰＵＳＣＨの伝送の開始ＯＦＤＭシンボルは、位置するタイムスロットの最初のＯＦＤＭシンボルであることを理解されたい。
【００６９】
例示的に、当該第１プリセット条件を満たすタイムスロット内の当該ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されない。
【００７０】
例示的に、当該第１プリセット条件を満たすタイムスロット内の当該ターゲットＳＲＳリソースに割り当てられたＯＦＤＭシンボルが、ＰＵＳＣＨマッピングタイプＢを使用したＰＵＳＣＨのスケジューリングに使用されない。
【００７１】
ＰＵＳＣＨマッピングタイプＢに対応するＰＵＳＣＨの伝送の開始ＯＦＤＭシンボルは、位置するタイムスロット内のいずれか１つのＯＦＤＭシンボルであってもよい。
【００７２】
具体的に、当該Ｋの値が、当該少なくとも１つのＳＲＳリソースセットに対して、高層シグナリングを介して当該ネットワーク機器によって構成されたものである場合、当該端末機器が、当該ＤＣＩから始まるＫ個のタイムスロットを受信した後、第１プリセット条件を満たすタイムスロット内の、当該少なくとも１つのＳＲＳリソースセットに含まれる全てのＳＲＳリソースでＳＲＳ信号を伝送する。つまり、端末機器は、１つのターゲットタイムスロットで、当該少なくとも１つのＳＲＳリソースセットに含まれる全てのＳＲＳリソースに対応するＳＲＳ信号を送信することができる。
【００７３】
具体的に、当該Ｋの値が、当該少なくとも１つのＳＲＳリソースセット内の各ＳＲＳリソースセットに対して、高層シグナリングを介して当該ネットワーク機器によってそれぞれ構成されたものである場合、当該端末機器が、当該ＤＣＩから始まるＫ１個のタイムスロットを受信した後、第１プリセット条件を満たすタイムスロット内の、第１ＳＲＳリソースセット内のＳＲＳリソースでＳＲＳ信号を伝送し、ここで、当該第１ＳＲＳリソースセットは、当該少なくとも１つのＳＲＳリソースセットに属し、Ｋ１は、当該第１ＳＲＳリソースセットに対して当該ネットワーク機器によって構成された第１伝送遅延である。
【００７４】
具体的に、当該Ｋの値が、当該少なくとも１つのＳＲＳリソースセットに含まれる各ＳＲＳリソースに対して、高層シグナリングを介して当該ネットワーク機器によってそれぞれ構成されたものである場合、当該端末機器が、当該ＤＣＩから始まるＫ２個のタイムスロットを受信した後、第１プリセット条件を満たすタイムスロット内の、第１ＳＲＳリソースでＳＲＳ信号を伝送し、ここで、当該第１ＳＲＳリソースは、当該少なくとも１つのＳＲＳリソースセットに属し、Ｋ２は、当該第１ＳＲＳリソースに対して当該ネットワーク機器によって構成された第２伝送遅延である。つまり、端末機器は、各ＳＲＳリソースに対して、ＳＲＳを伝送するためのターゲットタイムスロットをそれぞれ決定する。
【００７５】
例示的に、当該第２伝送遅延Ｋ２は、当該ネットワーク機器によって第１ＳＲＳリソースに対して構成された複数の伝送遅延のうちの１つであり得る。例えば、当該第２伝送遅延は、当該ネットワーク機器によって第１ＳＲＳリソースに対して構成された最初の伝送遅延であり得る。
【００７６】
具体的に、当該端末機器が、当該ＤＣＩから始まるＫ個のタイムスロットを受信した後、第１プリセット条件を満たす最初のタイムスロット内の、当該少なくとも１つのＳＲＳリソースセットに含まれるターゲットＳＲＳリソースでＳＲＳ信号を伝送する。
【００７７】
具体的に、当該端末機器が、当該ＤＣＩから始まるＫ個のタイムスロットを受信した後、第１プリセット条件を満たすタイムスロット内のアクティブ化されたＢＷＰで、当該少なくとも１つのＳＲＳリソースセットに含まれるターゲットＳＲＳリソースでＳＲＳ信号を伝送する。
【００７８】
ここでのアクティブ化されたＢＷＰは、第１プリセット条件を満たすタイムスロット内の、ＰＵＳＣＨの伝送に使用されるように指示されたＢＷＰを指すことを理解されたい。端末機器は、アクティブ化されたＢＷＰでのみＳＲＳを伝送し、前記ＳＲＳリソースセットがアクティブ化されたＢＷＰにない場合、伝送する必要がない。
【００７９】
具体的に、当該端末機器が、当該ＤＣＩから始まるＫ個のタイムスロットを受信した後、第１プリセット条件を満たすタイムスロット内の当該少なくとも１つのＳＲＳリソースセットに関連付けられたＢＷＰで、当該少なくとも１つのＳＲＳリソースセットに含まれるターゲットＳＲＳリソースでＳＲＳ信号を伝送する。
【００８０】
ネットワーク機器は、高層シグナリングを介して、各ＳＲＳリソースセットに関連付けられたＢＷＰを事前に構成することを理解されたい。第１プリセット条件を満たすタイムスロットでは、関連付けられたＢＷＰでのみ対応するＳＲＳを伝送する。ここでの関連付けられたＢＷＰは、現在アクティブ化されたＢＷＰではない可能性があり、この時、端末が１つのＢＷＰでしかアップリンク信号を伝送ない場合、アクティブ化されたＢＷＰでＰＵＳＣＨを伝送し、ＳＲＳ伝送を放棄する。
【００８１】
具体的に、第１プリセット条件を満たすタイムスロット内の、当該少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、当該端末機器が、割り当てられたＯＦＤＭシンボルのうちの当該少なくとも１つのＯＦＤＭシンボルを除くＯＦＤＭシンボルでＳＲＳ信号を伝送する。
【００８２】
したがって、本願実施例によるサウンディング参照信号の伝送方法において、端末機器が、ＳＲＳトリガシグナリングを含む、ＤＣＩから始まるＫ個のタイムスロットを受信した後、第１プリセット条件を満たすタイムスロット内の、少なくとも１つのＳＲＳリソースセットに含まれるターゲットＳＲＳリソースでＳＲＳ信号を伝送することにより、端末機器は、ＳＲＳを伝送するタイムスロットを決定し、ＳＲＳを伝送するための適切なアップリンクリソースを見つけ、さらに、アップリンク伝送性能を保証することができる。
【００８３】
図３は、本願実施例によるサウンディング参照信号の伝送方法３００の例示的なフローチャートである。当該方法３００は、図１に示されるシステムに適用されることができるが、これに限定されない。当該方法３００は、以下の内容の少なくとも一部を含む。
【００８４】
ステップＳ３１０において、ネットワーク機器が、ＤＣＩを端末機器に送信し、当該ＤＣＩは、ＳＲＳトリガシグナリングを含み、当該ＳＲＳトリガシグナリングは、少なくとも１つのＳＲＳリソースセットでのＳＲＳ伝送を指示するために使用される。
【００８５】
ステップＳ３２０において、当該ネットワーク機器が、当該ＤＣＩから始まるＫ個のタイムスロットを送信した後、第１プリセット条件を満たすタイムスロット内の、当該少なくとも１つのＳＲＳリソースセットに含まれるターゲットＳＲＳリソースでＳＲＳ信号を受信し、Ｋは非負整数である。
【００８６】
例示的に、当該Ｋの値は、当該少なくとも１つのＳＲＳリソースセットに対して、高層シグナリングを介して当該ネットワーク機器によって構成されたものであり、または、当該Ｋの値は、当該少なくとも１つのＳＲＳリソースセット内の各ＳＲＳリソースセットに対して、高層シグナリングを介して当該ネットワーク機器によってそれぞれ構成されたものであり、または、当該Ｋの値は、当該少なくとも１つのＳＲＳリソースセットに含まれる各ＳＲＳリソースに対して、高層シグナリングを介して当該ネットワーク機器によってそれぞれ構成されたものである。
【００８７】
例示的に、当該第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲットＰＵＣＣＨフォーマットのＰＵＣＣＨの伝送のために使用されないこと、タイムスロット内の当該少なくとも１つのＳＲＳリソースセット内のいずれか１つのＳＲＳリソースに割り当てられたＯＦＤＭシンボルが、全てアップリンクシンボルであること、タイムスロット内の当該ターゲットＳＲＳリソースに割り当てられたＯＦＤＭシンボルが、全てアップリンクシンボルであること、タイムスロット内の当該少なくとも１つのＳＲＳリソースセット内のいずれか１つのＳＲＳリソースに割り当てられたＯＦＤＭシンボルが、全てＰＵＣＣＨによって占有されないこと、タイムスロット内の当該ターゲットＳＲＳリソースに割り当てられたＯＦＤＭシンボルが、全てＰＵＣＣＨによって占有されないこと、タイムスロット内の当該ターゲットＳＲＳリソースに割り当てられたＯＦＤＭシンボルのうちの少なくとも１つのシンボルが、ＰＵＣＣＨによって占有されないこと、タイムスロットで構成されたＰＵＳＣＨが、ＰＵＳＣＨマッピングタイプＡを使用すること、タイムスロット内の当該ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の当該ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットである。
【００８８】
具体的に、当該Ｋの値が、当該少なくとも１つのＳＲＳリソースセットに対して、高層シグナリングを介して当該ネットワーク機器によって構成されたものである場合、当該ネットワーク機器が、当該ＤＣＩから始まるＫ個のタイムスロットを送信した後、第１プリセット条件を満たすタイムスロット内の、当該少なくとも１つのＳＲＳリソースセットに含まれる全てのＳＲＳリソースでＳＲＳ信号を受信する。
【００８９】
具体的に、当該Ｋの値が、当該少なくとも１つのＳＲＳリソースセット内の各ＳＲＳリソースセットに対して、高層シグナリングを介して当該ネットワーク機器によってそれぞれ構成されたものである場合、当該端末機器が、当該ＤＣＩから始まるＫ１個のタイムスロットを受信した後、第１プリセット条件を満たすタイムスロット内の、第１ＳＲＳリソースセット内のＳＲＳリソースでＳＲＳ信号を伝送し、ここで、当該第１ＳＲＳリソースセットは、当該少なくとも１つのＳＲＳリソースセットに属し、Ｋ１は、当該第１ＳＲＳリソースセットに対して当該ネットワーク機器によって構成された第１伝送遅延である。
【００９０】
具体的に、当該Ｋの値が、当該少なくとも１つのＳＲＳリソースセットに含まれる各ＳＲＳリソースに対して、高層シグナリングを介して当該ネットワーク機器によってそれぞれ構成されたものである場合、当該ネットワーク機器が、当該ＤＣＩから始まるＫ２個のタイムスロットを送信した後、第１プリセット条件を満たすタイムスロット内の、第１ＳＲＳリソースでＳＲＳ信号を受信し、ここで、当該第１ＳＲＳリソースは、当該少なくとも１つのＳＲＳリソースセットに属し、Ｋ２は、当該第１ＳＲＳリソースに対して当該ネットワーク機器によって構成された第２伝送遅延である。
【００９１】
具体的に、当該ネットワーク機器が、当該ＤＣＩから始まるＫ個のタイムスロットを送信した後、第１プリセット条件を満たす最初のタイムスロット内の、当該少なくとも１つのＳＲＳリソースセットに含まれるターゲットＳＲＳリソースでＳＲＳ信号を受信する。
【００９２】
具体的に、当該ネットワーク機器が、当該ＤＣＩから始まるＫ個のタイムスロットを送信した後、第１プリセット条件を満たすタイムスロット内のアクティブ化されたＢＷＰで、当該少なくとも１つのＳＲＳリソースセットに含まれるターゲットＳＲＳリソースでＳＲＳ信号を受信する。
【００９３】
具体的に当該ネットワーク機器が、当該ＤＣＩから始まるＫ個のタイムスロットを送信した後、第１プリセット条件を満たすタイムスロット内の当該少なくとも１つのＳＲＳリソースセットに関連付けられたＢＷＰで、当該少なくとも１つのＳＲＳリソースセットに含まれるターゲットＳＲＳリソースでＳＲＳ信号を受信する。
【００９４】
具体的に、第１プリセット条件を満たすタイムスロット内の、当該少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、当該ネットワーク機器が、割り当てられたＯＦＤＭシンボルのうちの当該少なくとも１つのＯＦＤＭシンボルを除くＯＦＤＭシンボルでＳＲＳ信号を受信する。
【００９５】
上記のサウンディング参照信号の伝送方法３００は、方法２００における対応するステップに対応し、上記のサウンディング参照信号の伝送方法３００におけるステップは、サウンディング参照信号の伝送方法２００における対応するステップの説明を参照でき、簡潔にするために、ここでは繰り返しないことを理解されたい。
【００９６】
したがって、本願実施例によるサウンディング参照信号の伝送方法において、ネットワーク機器が、ＳＲＳトリガシグナリングを含む、ＤＣＩから始まるＫ個のタイムスロットを送信した後、第１プリセット条件を満たすタイムスロット内の、少なくとも１つのＳＲＳリソースセットに含まれるターゲットＳＲＳリソースでＳＲＳ信号を受信することにより、ネットワーク機器は、ＳＲＳを伝送するタイムスロットを決定し、ＳＲＳを伝送するための適切なアップリンクリソースを見つけ、さらに、アップリンク伝送性能を保証することができる。
【００９７】
図４は、本願実施例による端末機器４００の例示的なブロック図である。当該端末機器４００は、
ネットワーク機器によって送信されるＤＣＩを受信するように構成される通信ユニット４１０であって、当該ＤＣＩは、ＳＲＳトリガシグナリングを含み、当該ＳＲＳトリガシグナリングは、少なくとも１つのＳＲＳリソースセットでのＳＲＳ伝送を指示するために使用される通信ユニット４１０を備え、
当該通信ユニット４１０は、さらに、当該ＤＣＩから始まるＫ個のタイムスロットを受信した後、第１プリセット条件を満たすタイムスロット内の、当該少なくとも１つのＳＲＳリソースセットに含まれるターゲットＳＲＳリソースでＳＲＳ信号を伝送するように構成され、Ｋは非負整数である。
【００９８】
例示的に、当該Ｋの値は、当該少なくとも１つのＳＲＳリソースセットに対して、高層シグナリングを介して当該ネットワーク機器によって構成されたものであり、または、当該Ｋの値は、当該少なくとも１つのＳＲＳリソースセット内の各ＳＲＳリソースセットに対して、高層シグナリングを介して当該ネットワーク機器によってそれぞれ構成されたものであり、または、当該Ｋの値は、当該少なくとも１つのＳＲＳリソースセットに含まれる各ＳＲＳリソースに対して、高層シグナリングを介して当該ネットワーク機器によってそれぞれ構成されたものである。
【００９９】
例示的に、当該Ｋの値が、当該少なくとも１つのＳＲＳリソースセットに対して、高層シグナリングを介して当該ネットワーク機器によって構成されたものである場合、
当該通信ユニット４１０は、具体的に、
当該ＤＣＩから始まるＫ個のタイムスロットを受信した後、第１プリセット条件を満たすタイムスロット内の、当該少なくとも１つのＳＲＳリソースセットに含まれる全てのＳＲＳリソースでＳＲＳ信号を伝送するように構成される。
【０１００】
例示的に、前記Ｋの値が、前記少なくとも１つのＳＲＳリソースセット内の各ＳＲＳリソースセットに対して、高層シグナリングを介して前記ネットワーク機器によって構成されたものである場合、
当該通信ユニット４１０は、具体的に、
前記ＤＣＩから始まるＫ１個のタイムスロットを受信した後、第１プリセット条件を満たすタイムスロット内の、第１ＳＲＳリソースセット内のＳＲＳリソースでＳＲＳ信号を伝送するように構成され、前記第１ＳＲＳリソースセットは、前記少なくとも１つのＳＲＳリソースセットに属し、Ｋ１は、前記第１ＳＲＳリソースセットに対して前記ネットワーク機器によって構成された第１伝送遅延である。
【０１０１】
例示的に、当該Ｋの値が、当該少なくとも１つのＳＲＳリソースセットに含まれる各ＳＲＳリソースに対して、高層シグナリングを介して当該ネットワーク機器によってそれぞれ構成されたものである場合、
当該通信ユニット４１０は、具体的に、
当該ＤＣＩから始まるＫ２個のタイムスロットを受信した後、第１プリセット条件を満たすタイムスロット内の、第１ＳＲＳリソースでＳＲＳ信号を伝送するように構成され、当該第１ＳＲＳリソースは、当該少なくとも１つのＳＲＳリソースセットに属し、Ｋ２は、当該第１ＳＲＳリソースに対して当該ネットワーク機器によって構成された第２伝送遅延である。
【０１０２】
例示的に、当該通信ユニット４１０は、具体的に、
当該ＤＣＩから始まるＫ個のタイムスロットを受信した後、第１プリセット条件を満たす最初のタイムスロット内の、当該少なくとも１つのＳＲＳリソースセットに含まれるターゲットＳＲＳリソースでＳＲＳ信号を伝送するように構成される。
【０１０３】
例示的に、当該通信ユニット４１０は、具体的に、
当該ＤＣＩから始まるＫ個のタイムスロットを受信した後、第１プリセット条件を満たすタイムスロット内のアクティブ化されたＢＷＰで、当該少なくとも１つのＳＲＳリソースセットに含まれるターゲットＳＲＳリソースでＳＲＳ信号を伝送するように構成され、または、
当該ＤＣＩから始まるＫ個のタイムスロットを受信した後、第１プリセット条件を満たすタイムスロット内の当該少なくとも１つのＳＲＳリソースセットに関連付けられたＢＷＰで、当該少なくとも１つのＳＲＳリソースセットに含まれるターゲットＳＲＳリソースでＳＲＳ信号を伝送するように構成される。
【０１０４】
例示的に、当該第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲットＰＵＣＣＨフォーマットのＰＵＣＣＨの伝送のために使用されないこと、タイムスロット内の当該少なくとも１つのＳＲＳリソースセット内のいずれか１つのＳＲＳリソースに割り当てられたＯＦＤＭシンボルが、全てアップリンクシンボルであること、タイムスロット内の当該ターゲットＳＲＳリソースに割り当てられたＯＦＤＭシンボルが、全てアップリンクシンボルであること、タイムスロット内の当該少なくとも１つのＳＲＳリソースセット内のいずれか１つのＳＲＳリソースに割り当てられたＯＦＤＭシンボルが、全てＰＵＣＣＨによって占有されないこと、タイムスロット内の当該ターゲットＳＲＳリソースに割り当てられたＯＦＤＭシンボルが、全てＰＵＣＣＨによって占有されないこと、タイムスロット内の当該ターゲットＳＲＳリソースに割り当てられたＯＦＤＭシンボルのうちの少なくとも１つのシンボルが、ＰＵＣＣＨによって占有されないこと、タイムスロットで構成されたＰＵＳＣＨが、ＰＵＳＣＨマッピングタイプＡを使用すること、タイムスロット内の当該ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の当該ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットである。
【０１０５】
例示的に、当該通信ユニット４１０は、具体的に、
第１プリセット条件を満たすタイムスロット内の、当該少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、割り当てられたＯＦＤＭシンボルのうちの当該少なくとも１つのＯＦＤＭシンボルを除くＯＦＤＭシンボルでＳＲＳ信号を伝送するように構成される。
【０１０６】
当該端末機器４００は、方法２００における端末機器に対応することができ、方法２００における端末機器によって実現される対応する動作を実現でき、簡潔にするため、ここでは繰り返しないことを理解されたい。
【０１０７】
図５は、本願実施例によるネットワーク機器５００の例示的なブロック図である。当該ネットワーク機器５００は、
ダウンリック制御情報（ＤＣＩ）を端末機器に送信するように構成される通信ユニット５１０であって、当該ＤＣＩは、サウンディング参照信号（ＳＲＳ）トリガシグナリングを含み、当該ＳＲＳトリガシグナリングは、少なくとも１つのＳＲＳリソースセットでのＳＲＳ伝送を指示するために使用される通信ユニット５１０を備え、
当該通信ユニット５１０は、さらに、当該ＤＣＩから始まるＫ個のタイムスロットを送信した後、第１プリセット条件を満たすタイムスロット内の、当該少なくとも１つのＳＲＳリソースセットに含まれるターゲットＳＲＳリソースでＳＲＳ信号を受信するように構成され、Ｋは非負整数である。
【０１０８】
例示的に、当該Ｋの値は、当該少なくとも１つのＳＲＳリソースセットに対して、高層シグナリングを介して当該ネットワーク機器によって構成されたものであり、または、当該Ｋの値は、当該少なくとも１つのＳＲＳリソースセット内の各ＳＲＳリソースセットに対して、高層シグナリングを介して当該ネットワーク機器によってそれぞれ構成されたものであり、または、当該Ｋの値は、当該少なくとも１つのＳＲＳリソースセットに含まれる各ＳＲＳリソースに対して、高層シグナリングを介して当該ネットワーク機器によってそれぞれ構成されたものである。
【０１０９】
例示的に、当該Ｋの値が、当該少なくとも１つのＳＲＳリソースセットに対して、高層シグナリングを介して当該ネットワーク機器によって構成されたものである場合、
当該通信ユニット５１０は、具体的に、
当該ＤＣＩから始まるＫ個のタイムスロットを送信した後、第１プリセット条件を満たすタイムスロット内の、当該少なくとも１つのＳＲＳリソースセットに含まれる全てのＳＲＳリソースでＳＲＳ信号を受信するように構成される。
【０１１０】
例示的に、当該Ｋの値が、当該少なくとも１つのＳＲＳリソースセット内の各ＳＲＳリソースセットに対して、高層シグナリングを介して当該ネットワーク機器によってそれぞれ構成されたものである場合、
当該通信ユニット５１０は、具体的に、
当該ＤＣＩから始まるＫ１個のタイムスロットを送信した後、第１プリセット条件を満たすタイムスロット内の、第１ＳＲＳリソースセット内のＳＲＳリソースでＳＲＳ信号を受信するように構成され、当該第１ＳＲＳリソースセットは、当該少なくとも１つのＳＲＳリソースセットに属し、Ｋ１は、当該第１ＳＲＳリソースセットに対して当該ネットワーク機器によって構成された第１伝送遅延である。
【０１１１】
例示的に、当該Ｋの値が、当該少なくとも１つのＳＲＳリソースセットに含まれる各ＳＲＳリソースに対して、高層シグナリングを介して当該ネットワーク機器によってそれぞれ構成されたものである場合、
当該通信ユニット５１０は、具体的に、
当該ＤＣＩから始まるＫ２個のタイムスロットを送信した後、第１プリセット条件を満たすタイムスロット内の、第１ＳＲＳリソースでＳＲＳ信号を受信するように構成され、当該第１ＳＲＳリソースは、当該少なくとも１つのＳＲＳリソースセットに属し、Ｋ２は、当該第１ＳＲＳリソースに対して当該ネットワーク機器によって構成された第２伝送遅延である。
【０１１２】
例示的に、当該通信ユニット５１０は、具体的に、
当該ＤＣＩから始まるＫ個のタイムスロットを送信した後、第１プリセット条件を満たす最初のタイムスロット内の、当該少なくとも１つのＳＲＳリソースセットに含まれるターゲットＳＲＳリソースでＳＲＳ信号を受信するように構成される。
【０１１３】
例示的に、当該通信ユニット５１０は、具体的に、
当該ＤＣＩから始まるＫ個のタイムスロットを送信した後、第１プリセット条件を満たすタイムスロット内のアクティブ化された帯域幅部分（ＢＷＰ）で、当該少なくとも１つのＳＲＳリソースセットに含まれるターゲットＳＲＳリソースでＳＲＳ信号を受信するように構成され、または、
当該ＤＣＩから始まるＫ個のタイムスロットを送信した後、第１プリセット条件を満たすタイムスロット内の当該少なくとも１つのＳＲＳリソースセットに関連付けられたＢＷＰで、当該少なくとも１つのＳＲＳリソースセットに含まれるターゲットＳＲＳリソースでＳＲＳ信号を受信するように構成される。
【０１１４】
例示的に、当該第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲット物理アップリンク制御チャネル（ＰＵＣＣＨ）フォーマットのＰＵＣＣＨの伝送のために使用されないこと、タイムスロット内の当該少なくとも１つのＳＲＳリソースセット内のいずれか１つのＳＲＳリソースに割り当てられた直交周波数分割多重（ＯＦＤＭ）シンボルが、全てアップリンクシンボルであること、タイムスロット内の当該ターゲットＳＲＳリソースに割り当てられたＯＦＤＭシンボルが、全てアップリンクシンボルであること、タイムスロット内の当該少なくとも１つのＳＲＳリソースセット内のいずれか１つのＳＲＳリソースに割り当てられたＯＦＤＭシンボルが、全てＰＵＣＣＨによって占有されないこと、タイムスロット内の当該ターゲットＳＲＳリソースに割り当てられたＯＦＤＭシンボルが、全てＰＵＣＣＨによって占有されないこと、タイムスロット内の当該ターゲットＳＲＳリソースに割り当てられたＯＦＤＭシンボルのうちの少なくとも１つのシンボルが、ＰＵＣＣＨによって占有されないこと、タイムスロットで構成された物理アップリンク共有チャネル（ＰＵＳＣＨ）が、ＰＵＳＣＨマッピングタイプＡを使用すること、タイムスロット内の当該ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の当該ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットである。
【０１１５】
例示的に、当該通信ユニット５１０は、具体的に、
第１プリセット条件を満たすタイムスロット内の、当該少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、割り当てられたＯＦＤＭシンボルのうちの当該少なくとも１つのＯＦＤＭシンボルを除くＯＦＤＭシンボルでＳＲＳ信号を受信するように構成される。
【０１１６】
当該ネットワーク機器５００は、方法３００におけるネットワーク機器に対応することができ、前記方法３００でネットワーク機器によって実現される対応する機能を実現することができ、簡潔にするために、ここでは繰り返さないことを理解されたい。
【０１１７】
図６は、本願実施例による無線通信機器６００の例示的なブロック図であり、当該６００は、
コードを含むプログラムを記憶するためのメモリ６１０と、
他の機器と通信するためのトランシーバ６２０と、
メモリ６１０内のプログラムコードを実行するためのプロセッサ６３０と、を備える。
【０１１８】
例示的に、トランシーバ６２０は、プロセッサ６３０の駆動下で具体的な信号の送受信するために使用される。
【０１１９】
例示的に、当該コードが実行されるとき、当該プロセッサ６３０は、図２における方法２００で端末機器によって実行される各動作を具現することもでき、簡潔のために、ここで再び説明しない。この場合、当該機器６００は、携帯電話などの端末機器であり得る。
【０１２０】
例示的に、当該コードが実行されるとき、当該プロセッサ６３０は、さらに図３における方法３００でネットワーク機器によって実行される各動作を具現することもでき、簡潔のために、ここで再び説明しない。この場合、当該機器６００は、基地局などのアクセスネットワーク機器であり得る。
【０１２１】
本出願の実施例において、当該プロセッサ６３０は、中央処理装置（ＣＰＵ：Ｃｅｎｔｒａｌ  Ｐｒｏｃｅｓｓｉｎｇ  Ｕｎｉｔ）であってもよく、当該プロセッサ６３０は、他の汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジックデバイス、ディスクリートハードウェアデバイスなどであってもよいことを理解されたい。汎用プロセッサはマイクロプロセッサであってもよく、または前記プロセッサは任意の従来のプロセッサなどであってもよい。
【０１２２】
当該メモリ６１０は、読み取り専用メモリおよびランダムアクセスメモリを含むことができ、プロセッサ６３０に命令およびデータを提供する。メモリ６１０の一部は、さらに不揮発性ランダムアクセスメモリを含むことができる。例えば、メモリ６１０は、さらに機器のタイプの情報を記憶することもできる。
【０１２３】
トランシーバ６２０は、例えば、周波数変調および復調機能または高周波数およびダウンコンバージョン機能等の信号の送信および受信の機能を具現するために使用されることができる。
【０１２４】
実現プロセスにおいて、上記の方法の少なくとも１つのステップは、プロセッサ６３０中のハードウェアの集積論理回路によって完成することができ、または当該集積論理回路は、ソフトウェアの形の命令の駆動下で当該少なくとも１つのステップを完成することができる。したがって、無線通信機器６００は、チップまたはチップセットであることができる。本出願の実施例によって開示された方法のステップは、直接に、ハードウェアプロセッサによって実行されて完成することとして具現され、またはプロセッサ中のハードウェアおよびソフトウェアモジュールの組み合わせによって実行して完成する。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。当該記憶媒体は、メモリに配置され、プロセッサ６３０は、メモリ内の情報を読み取り、そのハードウェアに結合して上記の方法のステップを完成する。繰り返しを避けるため、ここでは詳しく説明しない。
【０１２５】
図７は、本出願の実施例に係るシステムチップ７００の例示的な構造図である。図７のシステムチップ７００は、入力インターフェース７０１、出力インターフェース７０２、プロセッサ７０３およびメモリ７０４を含み、これらの間には内部通信接続ラインを介して接続されることができ、当該プロセッサ７０３は、当該メモリ７０４中のコードを実行するために使用される。
【０１２６】
例示的に、当該コードが実行されるとき、当該プロセッサ７０３は、方法の実施例における端末装置によって実行される方法を具現する。簡潔性のために、ここでは繰り返さない。
【０１２７】
例示的に、当該コードが実行されるとき、当該プロセッサ７０３は、方法の実施例におけるネットワーク装置によって実行される方法を具現する。簡潔性のために、ここでは繰り返さない。
【０１２８】
上記の実施例において、ソフトウェア、ハードウェア、ファームウェアまたはそれらの任意の組み合わせによって全体的または部分的に実現することができる。ソフトウェアを使用して実現する場合、コンピュータプログラム製品の形態で全体的または部分的に実現することができる。当該コンピュータプログラム製品は、１つ以上のコンピュータ命令を含む。コンピュータに当該コンピュータプログラム命令をロードして実行する場合、本出願の実施例に記載のプロセスまたは機能を全体的または部分的に生成する。当該コンピュータは、汎用コンピュータ、専用コンピュータ、コンピュータネットワーク、または他のプログラマブル装置であり得る。当該コンピュータ命令は、コンピュータ読み取り可能な記憶媒体に記憶されることができ、または１つのコンピュータ読み取り可能な記憶媒体から別のコンピュータ読み取り可能な記憶媒体に伝送することができ、例えば、当該コンピュータ命令は、有線（例えば、同軸ケーブル、光ファイバ、デジタル加入者線（ＤＳＬ））または無線（例えば、赤外線、無線、マイクロ波等）を介して、１つのＷｅｂサイト、コンピュータ、サーバまたはデータセンタから別のＷｅｂサイト、コンピュータ、サーバまたはデータセンタに伝送することができる。当該コンピュータ読み取り可能な記憶媒体は、コンピュータがアクセス可能ないずれの利用可能な媒体であることができ、または１つ以上の利用可能な媒体によって統合されたサーバ、データセンタなどのデータ記憶装置であることができる。当該利用可能な媒体は、磁気媒体（例えば、フロッピーディスク、ハードディスク、磁気テープ）、光学媒体（例えば、ＤＶＤ）、または半導体媒体（例えば、ソリッドステートハードディスク（ＳＳＤ：Ｓｏｌｉｄ  Ｓｔａｔｅ  Ｄｉｓｋ））などであり得る。
【０１２９】
本出願の様々な実施例において、前記各プロセスの番号の大きさは実行する前後順番を意味せず、各プロセスの実行順番は、その機能と内部論理によって決定されるべきであり、本出願の実施例の実施プロセスに対してあらゆる制限を構成してはならないことを理解されたい。
【０１３０】
当業者は、説明の便宜上および簡潔のために、上記したシステム、装置およびユニットの具体的な作業プロセスは、前述方法の実施例における対応するプロセスを参照し得ることを明確に理解することができ、ここでは再び説明しない。
【０１３１】
上記の説明は本出願の具体的な実施形態に過ぎず、本出願の保護範囲はそれに限定せず、当業者が本出願に開示された技術的範囲内で容易に想到し得る変更または置換は、すべて本出願の保護範囲内に含まれるべきである。したがって、本出願の保護範囲は、特許請求の保護範囲を基準とするべきである。
【図１】
2021517382.tif 000003
【図２】
2021517382.tif 000004
【図３】
2021517382.tif 000005
【図４】
2021517382.tif 000006
【図５】
2021517382.tif 000007
【図６】
2021517382.tif 000008
【図７】
2021517382.tif 000009
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
サウンディング参照信号の伝送方法であって、
端末機器が、ネットワーク機器によって送信されるダウンリック制御情報（ＤＣＩ）を受信することであって、前記ＤＣＩは、サウンディング参照信号（ＳＲＳ）トリガシグナリングを含み、前記ＳＲＳトリガシグナリングは、少なくとも１つのＳＲＳリソースセットでのＳＲＳ伝送を指示するために使用されることと、
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することであって、Ｋは非負整数であることとを含むことを特徴とする、前記サウンディング参照信号の伝送方法。
【請求項２】
前記Ｋの値は、前記少なくとも１つのＳＲＳリソースセットに対して、高層シグナリングを介して前記ネットワーク機器よって構成されたものであり、または、前記Ｋの値は、前記少なくとも１つのＳＲＳリソースセット内の各ＳＲＳリソースセットに対して、高層シグナリングを介して前記ネットワーク機器よってそれぞれ構成されたものであり、または、前記Ｋの値は、前記少なくとも１つのＳＲＳリソースセットに含まれる各ＳＲＳリソースに対して、高層シグナリングを介して前記ネットワーク機器よってそれぞれ構成されたものであることを特徴とする、
請求項１に記載のサウンディング参照信号の伝送方法。
【請求項３】
前記Ｋの値が、前記少なくとも１つのＳＲＳリソースセット内の各ＳＲＳリソースセットに対して、高層シグナリングを介して前記ネットワーク機器によって構成されたものである場合、
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
前記端末機器が、前記ＤＣＩから始まるＫ１個のタイムスロットを受信した後、第１プリセット条件を満たすタイムスロット内の、第１ＳＲＳリソースセット内のＳＲＳリソースでＳＲＳ信号を伝送することであって、前記第１ＳＲＳリソースセットは、前記少なくとも１つのＳＲＳリソースセットに属し、Ｋ１は、前記第１ＳＲＳリソースセットに対して前記ネットワーク機器によって構成された第１伝送遅延であることを含むことを特徴とする、
請求項２に記載のサウンディング参照信号の伝送方法。
【請求項４】
前記Ｋの値が、前記少なくとも１つのＳＲＳリソースセットに含まれる各ＳＲＳリソースに対して、高層シグナリングを介して前記ネットワーク機器よってそれぞれ構成されたものである場合、
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
前記端末機器が、前記ＤＣＩから始まるＫ２個のタイムスロットを受信した後、第１プリセット条件を満たすタイムスロット内の、第１ＳＲＳリソースでＳＲＳ信号を伝送することであって、前記第１ＳＲＳリソースは、前記少なくとも１つのＳＲＳリソースセットに属し、Ｋ２は、前記第１ＳＲＳリソースに対して前記ネットワーク機器によって構成された第２伝送遅延であることを含むことを特徴とする、
請求項２に記載のサウンディング参照信号の伝送方法。
【請求項５】
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
前記端末機器が、前記ＤＣＩから始まるＫ個のタイムスロットを受信した後、第１プリセット条件を満たす最初のタイムスロット内の、前記少なくとも１つのＳＲＳリソースセットに含まれるターゲットＳＲＳリソースでＳＲＳ信号を伝送することを含むことを特徴とする、
請求項１ないし４のいずれか一項に記載のサウンディング参照信号の伝送方法。
【請求項６】
前記第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲット物理アップリンク制御チャネル（ＰＵＣＣＨ）フォーマットのＰＵＣＣＨの伝送のために使用されないこと、タイムスロット内の前記少なくとも１つのＳＲＳリソースセット内のいずれか１つのＳＲＳリソースに割り当てられた直交周波数分割多重（ＯＦＤＭ）シンボルが、全てアップリンクシンボルであること、タイムスロット内の前記ターゲットＳＲＳリソースに割り当てられたＯＦＤＭシンボルが、全てアップリンクシンボルであること、タイムスロット内の前記少なくとも１つのＳＲＳリソースセット内のいずれか１つのＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルのうちの少なくとも１つのシンボルが、ＰＵＣＣＨによって占有されないこと、タイムスロットで構成された物理アップリンク共有チャネル（ＰＵＳＣＨ）が、ＰＵＳＣＨマッピングタイプＡを使用すること、タイムスロット内の前記ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の前記ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットであることを含むことを特徴とする、
請求項１ないし５のいずれか一項に記載のサウンディング参照信号の伝送方法。
【請求項７】
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
第１プリセット条件を満たすタイムスロット内の、前記少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、前記端末機器が、割り当てられたＯＦＤＭシンボルのうちの、前記少なくとも１つのＯＦＤＭシンボルを除くＯＦＤＭシンボルでＳＲＳ信号を伝送することを含むことを特徴とする、
請求項１ないし６のいずれか一項に記載のサウンディング参照信号の伝送方法。
【請求項８】
端末機器であって、
ネットワーク機器によって送信されるダウンリック制御情報（ＤＣＩ）を受信するように構成される通信ユニットであって、前記ＤＣＩは、サウンディング参照信号（ＳＲＳ）トリガシグナリングを含み、前記ＳＲＳトリガシグナリングは、少なくとも１つのＳＲＳリソースセットでのＳＲＳ伝送を指示するために使用される通信ユニットを備え、
前記通信ユニットは、さらに、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送するように構成され、Ｋは非負整数であることを特徴とする、前記端末機器。
【請求項９】
前記Ｋの値は、前記少なくとも１つのＳＲＳリソースセットに対して、高層シグナリングを介して前記ネットワーク機器よって構成されたものであり、または、前記Ｋの値は、前記少なくとも１つのＳＲＳリソースセット内の各ＳＲＳリソースセットに対して、高層シグナリングを介して前記ネットワーク機器よってそれぞれ構成されたものであり、または、前記Ｋの値は、前記少なくとも１つのＳＲＳリソースセットに含まれる各ＳＲＳリソースに対して、高層シグナリングを介して前記ネットワーク機器よってそれぞれ構成されたものであることを特徴とする、
請求項８に記載の端末機器。
【請求項１０】
前記Ｋの値が、前記少なくとも１つのＳＲＳリソースセット内の各ＳＲＳリソースセットに対して、高層シグナリングを介して前記ネットワーク機器によって構成されたものである場合、
前記通信ユニットは、具体的に、
前記ＤＣＩから始まるＫ１個のタイムスロットを受信した後、第１プリセット条件を満たすタイムスロット内の、第１ＳＲＳリソースセット内のＳＲＳリソースでＳＲＳ信号を伝送するように構成され、前記第１ＳＲＳリソースセットは、前記少なくとも１つのＳＲＳリソースセットに属し、Ｋ１は、前記第１ＳＲＳリソースセットに対して前記ネットワーク機器によって構成された第１伝送遅延であることを特徴とする、
請求項９に記載の端末機器。
【請求項１１】
前記Ｋの値が、前記少なくとも１つのＳＲＳリソースセットに含まれる各ＳＲＳリソースに対して、高層シグナリングを介して前記ネットワーク機器よってそれぞれ構成されたものである場合、
前記通信ユニットは、具体的に、
前記ＤＣＩから始まるＫ２個のタイムスロットを受信した後、第１プリセット条件を満たすタイムスロット内の、第１ＳＲＳリソースでＳＲＳ信号を伝送するように構成され、前記第１ＳＲＳリソースは、前記少なくとも１つのＳＲＳリソースセットに属し、Ｋ２は、前記第１ＳＲＳリソースに対して前記ネットワーク機器によって構成された第２伝送遅延であることを特徴とする、
請求項９に記載の端末機器。
【請求項１２】
前記通信ユニットは、具体的に、
前記ＤＣＩから始まるＫ個のタイムスロットを受信した後、第１プリセット条件を満たす最初のタイムスロット内の、前記少なくとも１つのＳＲＳリソースセットに含まれるターゲットＳＲＳリソースでＳＲＳ信号を伝送するように構成されることを特徴とする、
請求項８ないし１１のいずれか一項に記載の端末機器。
【請求項１３】
前記通信ユニットは、具体的に、
前記ＤＣＩから始まるＫ個のタイムスロットを受信した後、第１プリセット条件を満たすタイムスロット内のアクティブ化された帯域幅部分（ＢＷＰ）で、前記少なくとも１つのＳＲＳリソースセットに含まれるターゲットＳＲＳリソースでＳＲＳ信号を伝送するように構成され、または、
前記ＤＣＩから始まるＫ個のタイムスロットを受信した後、第１プリセット条件を満たすタイムスロット内の、前記少なくとも１つのＳＲＳリソースセットに関連付けられたＢＷＰで、前記少なくとも１つのＳＲＳリソースセットに含まれるターゲットＳＲＳリソースでＳＲＳ信号を伝送するように構成されることを特徴とする、
請求項８ないし１２のいずれか一項に記載の端末機器。
【請求項１４】
前記第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲット物理アップリンク制御チャネル（ＰＵＣＣＨ）フォーマットのＰＵＣＣＨの伝送のために使用されないこと、タイムスロット内の前記少なくとも１つのＳＲＳリソースセット内のいずれか１つのＳＲＳリソースに割り当てられた直交周波数分割多重（ＯＦＤＭ）シンボルが、全てアップリンクシンボルであること、タイムスロット内の前記ターゲットＳＲＳリソースに割り当てられたＯＦＤＭシンボルが、全てアップリンクシンボルであること、タイムスロット内の前記少なくとも１つのＳＲＳリソースセット内のいずれか１つのＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルのうちの少なくとも１つが、ＰＵＣＣＨによって占有されないこと、タイムスロットで構成された物理アップリンク共有チャネル（ＰＵＳＣＨ）が、ＰＵＳＣＨマッピングタイプＡを使用すること、タイムスロット内の前記ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の前記ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットであることを含むことを特徴とする、
請求項８ないし１３のいずれか一項に記載の端末機器。
【請求項１５】
前記通信ユニットは、具体的に、
第１プリセット条件を満たすタイムスロット内の、前記少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、割り当てられたＯＦＤＭシンボルのうちの、前記少なくとも１つのＯＦＤＭシンボルを除くＯＦＤＭシンボルでＳＲＳ信号を伝送するように構成されることを特徴とする、
請求項８ないし１４のいずれか一項に記載の端末機器。
【国際調査報告】
2021517382.tif 000010
2021517382.tif 000011
2021517382.tif 000012
2021517382.tif 000013